(57)【要約】【課題】二次基地局が再構成機能を備えていない場合に二次基地局においてユーザー装置を再構成することができないという従来技術の問題点を解決する、リソース再構成方法、基地局、およびユーザー装置を提供する。【解決手段】本出願では、リソース再構成方法、基地局、およびユーザー装置を開示する。この方法は、第1のメッセージを、一次基地局によって受信するステップであって、第1のメッセージは、二次基地局に対応するリソースをユーザー装置に対して再構成することを要求するために使用される、ステップと、ユーザー装置に対する二次基地局に対応するリソースの再構成を、一次基地局によって開始するステップとを含む。本出願を用いることで、二次基地局が再構成機能を備えていない場合に、二次基地局に対応するリソースをユーザー装置に対して再構成することができる。【選択図】図１
2018014759.tif 000002
【特許請求の範囲】
【請求項１】
第1のメッセージを、一次基地局によって受信するステップであって、前記第1のメッセージは、二次基地局に対応するリソースをユーザー装置に対して再構成することを要求するために使用される、ステップと、
前記ユーザー装置に対する前記二次基地局に対応する前記リソースの再構成を、前記一次基地局によって開始するステップとを含むリソース再構成方法。
【請求項２】
第1のメッセージを、一次基地局によって受信する前記ステップは、前記ユーザー装置から前記第1のメッセージを、前記一次基地局によって受信するステップを含み、
前記ユーザー装置に対する前記二次基地局に対応する前記リソースの再構成を、前記一次基地局によって開始する前記ステップは、リソース再構成情報を前記ユーザー装置に、前記一次基地局によって送信するステップであって、前記リソース再構成情報は、前記ユーザー装置に対して再構成され、前記二次基地局に対応する前記リソースに関する情報である、ステップを含む請求項1に記載の方法。
【請求項３】
前記リソース再構成情報は、前記ユーザー装置に割り当てられ、前記二次基地局に対応するプリアンブルシーケンス番号および物理ランダムアクセスチャネルシーケンス番号を含み、
リソース再構成情報を前記ユーザー装置に、前記一次基地局によって送信する前記ステップは、前記プリアンブルシーケンス番号および前記物理ランダムアクセスチャネルシーケンス番号を前記ユーザー装置に、前記一次基地局によって送信するステップであって、これにより前記ユーザー装置が前記プリアンブルシーケンス番号および前記物理ランダムアクセスチャネルシーケンス番号に従ってランダムアクセス要求メッセージを前記二次基地局に送信する、ステップを含む請求項2に記載の方法。
【請求項４】
前記リソース再構成情報は、前記二次基地局に対応する、前記ユーザー装置に対するタイミングアドバンス情報および/またはアップリンクグラントを含み、
リソース再構成情報を前記ユーザー装置に、前記一次基地局によって送信する前記ステップは、前記タイミングアドバンス情報および/または前記アップリンクグラントを前記ユーザー装置に、前記一次基地局によって送信するステップを含む請求項2に記載の方法。
【請求項５】
リソース再構成情報を前記ユーザー装置に、前記一次基地局によって送信する前記ステップの前に、
前記リソース再構成情報を、前記ユーザー装置に対して前記一次基地局によって決定するステップをさらに含む請求項2から4のいずれか一項に記載の方法。
【請求項６】
第1のメッセージを、一次基地局によって受信する前記ステップは、前記ユーザー装置から前記第1のメッセージを、前記一次基地局によって受信するステップを含み、
前記ユーザー装置に対する前記二次基地局に対応する前記リソースの再構成を、前記一次基地局によって開始する前記ステップは、第2のメッセージを前記二次基地局に、前記一次基地局によって送信するステップであって、これにより前記二次基地局が、前記二次基地局に対応するリソース再構成情報を前記ユーザー装置に送信する、ステップを含む請求項1に記載の方法。
【請求項７】
第2のメッセージを前記二次基地局に、前記一次基地局によって送信する前記ステップであって、前記第2のメッセージが、前記二次基地局に対応するリソース再構成情報を前記二次基地局が前記ユーザー装置に送信することをトリガーするために使用される、前記ステップは、
前記第2のメッセージを前記二次基地局に、前記一次基地局によって送信するステップであって、前記第2のメッセージは、前記二次基地局に、プリアンブルシーケンス番号および物理ランダムアクセスチャネルシーケンス番号を前記ユーザー装置に割り当てることと、前記プリアンブルシーケンス番号および前記物理ランダムアクセスチャネルシーケンス番号を前記ユーザー装置に送信することとを要求するために使用され、これにより前記ユーザー装置が前記プリアンブルシーケンス番号および前記物理ランダムアクセスチャネルシーケンス番号に従ってランダムアクセス要求メッセージを前記二次基地局に送信する、ステップを含む請求項6に記載の方法。
【請求項８】
第2のメッセージを前記二次基地局に、前記一次基地局によって送信する前記ステップであって、前記第2のメッセージが、前記二次基地局に対応するリソース再構成情報を前記二次基地局が前記ユーザー装置に送信することをトリガーするために使用される、前記ステップは、
前記第2のメッセージを前記二次基地局に、前記一次基地局によって送信するステップであって、前記第2のメッセージは、前記二次基地局に、第3のメッセージを前記ユーザー装置に送信することを要求するために使用され、前記第3のメッセージは、前記二次基地局に対応する、前記ユーザー装置に対するタイミングアドバンス情報および/またはアップリンクグラントを含む、ステップを含む請求項6に記載の方法。
【請求項９】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項6から8のいずれか一項に記載の方法。
【請求項１０】
第1のメッセージを、一次基地局によって受信する前記ステップは、
前記二次基地局によって送信された前記第1のメッセージを、前記一次基地局によって受信するステップを含む請求項1に記載の方法。
【請求項１１】
前記第1のメッセージは、前記ユーザー装置によって送信されたランダムアクセス要求メッセージを前記二次基地局が受信した後に送信されるか、または
前記第1のメッセージは、前記二次基地局に対応する、前記ユーザー装置のタイミングアドバンスタイマーTATがタイムアウトになったことを前記二次基地局が検出した後に送信される請求項10に記載の方法。
【請求項１２】
前記一次基地局は、前記二次基地局によって送信され、前記ユーザー装置に対して構成され、前記二次基地局に対応するアップリンクリソース構成情報を受信し、
前記ユーザー装置に対する前記二次基地局に対応する前記リソースの再構成を、前記一次基地局によって開始する前記ステップは、前記アップリンクリソース構成情報を前記ユーザー装置に、前記一次基地局によって送信するステップを含む請求項10または11に記載の方法。
【請求項１３】
前記ユーザー装置に対する前記二次基地局に対応する前記リソースの再構成を、前記一次基地局によって開始する前記ステップは、
前記二次基地局に対応するアップリンクリソース構成情報を前記ユーザー装置に、前記一次基地局によって送信するステップを含む請求項1から11のいずれか一項に記載の方法。
【請求項１４】
前記アップリンクリソース構成情報は、
スケジューリング要求構成情報、サウンディング基準信号構成情報、およびチャネル品質インジケータ報告構成情報のうちの少なくとも1つを含む請求項12または13に記載の方法。
【請求項１５】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項1から14のいずれか一項に記載の方法。
【請求項１６】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項9または15に記載の方法。
【請求項１７】
二次基地局に対応するリソースが再構成される必要があることを、ユーザー装置によって決定するステップと、
第1のメッセージを一次基地局に、前記ユーザー装置によって送信するステップであって、これにより前記一次基地局が前記ユーザー装置に対する前記二次基地局に対応する前記リソースの再構成を開始する、ステップとを含むリソース再構成方法。
【請求項１８】
第1のメッセージを一次基地局に、前記ユーザー装置によって送信する前記ステップの後に、
前記一次基地局によって送信されたリソース再構成情報を、前記ユーザー装置によって受信するステップであって、前記リソース再構成情報は、前記ユーザー装置に対して再構成され、前記二次基地局に対応する前記リソースに関する情報である、ステップをさらに含む請求項17に記載の方法。
【請求項１９】
前記リソース再構成情報は、前記ユーザー装置に割り当てられ、前記二次基地局に対応するプリアンブルシーケンス番号および物理ランダムアクセスチャネルシーケンス番号を含み、
前記一次基地局によって送信された前記リソース再構成情報を受信するステップの後に、前記ユーザー装置は、前記プリアンブルシーケンス番号および前記物理ランダムアクセスチャネルシーケンス番号に従ってランダムアクセス要求メッセージを前記二次基地局に送信する請求項18に記載の方法。
【請求項２０】
前記リソース再構成情報は、前記二次基地局に対応する、前記ユーザー装置に対するタイミングアドバンス情報および/またはアップリンクグラントを含み、
前記一次基地局によって送信された前記リソース再構成情報を受信するステップの後に、前記ユーザー装置は、前記タイミングアドバンス情報および/または前記アップリンクグラントを使用することによってアップリンク信号を前記二次基地局に送信する請求項18に記載の方法。
【請求項２１】
前記リソース再構成情報は、前記ユーザー装置に対して前記一次基地局によって決定される請求項18から20のいずれか一項に記載の方法。
【請求項２２】
第1のメッセージを一次基地局に、前記ユーザー装置によって送信する前記ステップの後に、
前記二次基地局によって送信され、前記二次基地局に対応するリソース再構成情報を、前記ユーザー装置によって受信するステップであって、前記リソース再構成情報は、前記一次基地局によって送信された第2のメッセージを前記二次基地局が受信した後に送信される、ステップをさらに含む請求項17に記載の方法。
【請求項２３】
前記リソース再構成情報は、前記ユーザー装置に割り当てられ、前記二次基地局に対応するプリアンブルシーケンス番号および物理ランダムアクセスチャネルシーケンス番号を含み、
前記二次基地局によって送信された前記リソース再構成情報を受信するステップの後に、前記ユーザー装置は、前記プリアンブルシーケンス番号および前記物理ランダムアクセスチャネルシーケンス番号に従ってランダムアクセス要求メッセージを前記二次基地局に送信する請求項22に記載の方法。
【請求項２４】
前記リソース再構成情報は、前記二次基地局に対応する、前記ユーザー装置に対するタイミングアドバンス情報および/またはアップリンクグラントを含み、
前記二次基地局によって送信された前記リソース再構成情報を受信するステップの後に、前記ユーザー装置は、前記タイミングアドバンス情報および/または前記アップリンクグラントを使用することによってアップリンク信号を前記二次基地局に送信する請求項22に記載の方法。
【請求項２５】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項22から24のいずれか一項に記載の方法。
【請求項２６】
第1のメッセージを一次基地局に、前記ユーザー装置によって送信する前記ステップの後に、
前記一次基地局によって送信され、前記二次基地局に対応するアップリンクリソース構成情報を、前記ユーザー装置によって受信するステップをさらに含む請求項17から25のいずれか一項に記載の方法。
【請求項２７】
前記アップリンクリソース構成情報は、
スケジューリング要求構成情報、サウンディング基準信号構成情報、およびチャネル品質インジケータ報告構成情報のうちの少なくとも1つを含む請求項26に記載の方法。
【請求項２８】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項17から27のいずれか一項に記載の方法。
【請求項２９】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項25または28に記載の方法。
【請求項３０】
二次基地局に対応するリソースがユーザー装置に対して再構成される必要があることを、前記二次基地局よって決定するステップと、
第1のメッセージを一次基地局に、前記二次基地局によって送信するステップであって、これにより前記一次基地局が前記ユーザー装置に対する前記二次基地局に対応する前記リソースの再構成を開始する、ステップとを含むリソース再構成方法。
【請求項３１】
二次基地局に対応するリソースがユーザー装置に対して再構成される必要があることを、前記二次基地局よって決定する前記ステップは、
前記ユーザー装置によって送信されたランダムアクセス要求メッセージを受信したときに、前記ユーザー装置に対する前記二次基地局に対応する前記リソースの再構成を、前記二次基地局によって決定するステップ、または
前記二次基地局に対応する、前記ユーザー装置のタイミングアドバンスタイマーTATがタイムアウトになったことを検出したときに、前記ユーザー装置に対する前記二次基地局に対応する前記リソースの再構成を、前記二次基地局によって決定するステップを含む請求項30に記載の方法。
【請求項３２】
二次基地局に対応するリソースがユーザー装置に対して再構成される必要があることを、前記二次基地局よって決定する前記ステップの後に、
前記ユーザー装置に対して構成され、前記二次基地局に対応するアップリンクリソース構成情報を前記一次基地局に、前記二次基地局によって送信するステップであって、これにより前記一次基地局が前記アップリンクリソース構成情報を前記ユーザー装置に送信する、ステップをさらに含む請求項30または31に記載の方法。
【請求項３３】
前記アップリンクリソース構成情報は、
スケジューリング要求構成情報、サウンディング基準信号構成情報、およびチャネル品質インジケータ報告構成情報のうちの少なくとも1つを含む請求項32に記載の方法。
【請求項３４】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項30から33のいずれか一項に記載の方法。
【請求項３５】
再構成を要求する前記理由は、
TATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項34に記載の方法。
【請求項３６】
一次基地局として使用される基地局であって、
第1のメッセージを受信するように構成された受信ユニットであって、前記第1のメッセージは、二次基地局に対応するリソースをユーザー装置に対して再構成することを要求するために使用される、受信ユニットと、
前記ユーザー装置に対する前記二次基地局に対応する前記リソースの再構成を開始するように構成された開始ユニットとを備える基地局。
【請求項３７】
前記受信ユニットは、前記ユーザー装置から前記第1のメッセージを受信するように構成され、
前記一次基地局は送信ユニットをさらに備え、前記開始ユニットは、前記送信ユニットを制御してリソース再構成情報を前記ユーザー装置に送信するように構成され、前記リソース再構成情報は、前記ユーザー装置に対して再構成され、前記二次基地局に対応する前記リソースに関する情報である請求項36に記載の基地局。
【請求項３８】
前記リソース再構成情報は、前記ユーザー装置に割り当てられ、前記二次基地局に対応するプリアンブルシーケンス番号および物理ランダムアクセスチャネルシーケンス番号を含み、
前記開始ユニットは、前記送信ユニットを制御して前記プリアンブルシーケンス番号および前記物理ランダムアクセスチャネルシーケンス番号を前記ユーザー装置に送信するように構成され、これにより前記ユーザー装置が前記プリアンブルシーケンス番号および前記物理ランダムアクセスチャネルシーケンス番号に従ってランダムアクセス要求メッセージを前記二次基地局に送信する請求項37に記載の基地局。
【請求項３９】
前記リソース再構成情報は、前記二次基地局に対応する、前記ユーザー装置に対するタイミングアドバンス情報および/またはアップリンクグラントを含み、
前記開始ユニットは、前記送信ユニットを制御して前記タイミングアドバンス情報および/または前記アップリンクグラントを前記ユーザー装置に送信するように構成される請求項37に記載の基地局。
【請求項４０】
前記一次基地局は、
前記リソース再構成情報を前記一次基地局が前記ユーザー装置に送信する前に前記ユーザー装置に対して前記リソース再構成情報を決定するように構成された決定ユニットをさらに備える請求項37から39のいずれか一項に記載の基地局。
【請求項４１】
前記受信ユニットは、前記ユーザー装置から前記第1のメッセージを受信するように構成され、
前記一次基地局は送信ユニットをさらに備え、前記開始ユニットは、第2のメッセージを前記二次基地局に前記送信ユニットが送信するステップを制御するように構成され、これにより前記二次基地局が、前記二次基地局に対応するリソース再構成情報を前記ユーザー装置に送信する請求項36に記載の基地局。
【請求項４２】
前記開始ユニットは、前記送信ユニットを制御して前記第2のメッセージを前記二次基地局に送信するように構成され、前記第2のメッセージは、前記二次基地局に、プリアンブルシーケンス番号および物理ランダムアクセスチャネルシーケンス番号を前記ユーザー装置に割り当てることと、前記プリアンブルシーケンス番号および前記物理ランダムアクセスチャネルシーケンス番号を前記ユーザー装置に送信することとを要求するために使用され、これにより前記ユーザー装置が前記プリアンブルシーケンス番号および前記物理ランダムアクセスチャネルシーケンス番号に従ってランダムアクセス要求メッセージを前記二次基地局に送信する請求項41に記載の基地局。
【請求項４３】
前記開始ユニットは、前記送信ユニットを制御して前記第2のメッセージを前記二次基地局に送信するように構成され、前記第2のメッセージは、前記二次基地局に、第3のメッセージを前記ユーザー装置に送信することを要求するために使用され、前記第3のメッセージは、前記二次基地局に対応する、前記ユーザー装置に対するタイミングアドバンス情報および/またはアップリンクグラントを含む請求項41に記載の基地局。
【請求項４４】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項41から43のいずれか一項に記載の基地局。
【請求項４５】
前記受信ユニットは、前記二次基地局によって送信された前記第1のメッセージを受信するように構成される請求項36に記載の基地局。
【請求項４６】
前記第1のメッセージは、前記ユーザー装置によって送信されたランダムアクセス要求メッセージを前記二次基地局が受信した後に送信されるか、または
前記第1のメッセージは、前記二次基地局に対応する、前記ユーザー装置のタイミングアドバンスタイマーTATがタイムアウトになったことを前記二次基地局が検出した後に送信される請求項45に記載の基地局。
【請求項４７】
前記受信ユニットは、前記二次基地局によって送信され、前記ユーザー装置に対して構成され、前記二次基地局に対応するアップリンクリソース構成情報を受信するようにさらに構成され、
前記一次基地局は送信ユニットをさらに備え、前記開始ユニットは、前記送信ユニットを制御して前記アップリンクリソース構成情報を前記ユーザー装置に送信するように構成される請求項45または46に記載の基地局。
【請求項４８】
前記一次基地局は、送信ユニットをさらに備え、前記開始ユニットは、前記送信ユニットを制御して前記二次基地局に対応するアップリンクリソース構成情報を前記ユーザー装置に送信するように構成される請求項36から46のいずれか一項に記載の基地局。
【請求項４９】
前記アップリンクリソース構成情報は、
スケジューリング要求構成情報、サウンディング基準信号構成情報、およびチャネル品質インジケータ報告構成情報のうちの少なくとも1つを含む請求項47または48に記載の基地局。
【請求項５０】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項36から49のいずれか一項に記載の基地局。
【請求項５１】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項44または50に記載の基地局。
【請求項５２】
二次基地局に対応するリソースが再構成される必要があることを決定するように構成された決定ユニットと、
第1のメッセージを一次基地局に送信するように構成された送信ユニットであって、これにより前記一次基地局がユーザー装置に対する前記二次基地局に対応する前記リソースの再構成を開始する、送信ユニットとを備えるユーザー装置。
【請求項５３】
前記第1のメッセージが前記一次基地局に送信された後に、前記一次基地局によって送信されたリソース再構成情報を受信するように構成された受信ユニットであって、前記リソース再構成情報は、前記ユーザー装置に対して再構成され、前記二次基地局に対応する前記リソースに関する情報である、受信ユニットをさらに備える請求項52に記載のユーザー装置。
【請求項５４】
前記リソース再構成情報は、前記ユーザー装置に割り当てられ、前記二次基地局に対応するプリアンブルシーケンス番号および物理ランダムアクセスチャネルシーケンス番号を含み、
前記送信ユニットは、前記一次基地局によって送信された前記リソース再構成情報が受信された後に、前記プリアンブルシーケンス番号および前記物理ランダムアクセスチャネルシーケンス番号に従ってランダムアクセス要求メッセージを前記二次基地局に送信するようにさらに構成される請求項53に記載のユーザー装置。
【請求項５５】
前記リソース再構成情報は、前記二次基地局に対応する、前記ユーザー装置に対するタイミングアドバンス情報および/またはアップリンクグラントを含み、
前記送信ユニットは、前記一次基地局によって送信された前記リソース再構成情報が受信された後に、前記タイミングアドバンス情報および/または前記アップリンクグラントを使用することによってアップリンク信号を前記二次基地局に送信するようにさらに構成される請求項53に記載のユーザー装置。
【請求項５６】
前記リソース再構成情報は、前記ユーザー装置に対して前記一次基地局によって決定される請求項53から55のいずれか一項に記載のユーザー装置。
【請求項５７】
前記ユーザー装置が前記第1のメッセージを前記一次基地局に送信した後に、前記二次基地局によって送信され、前記二次基地局に対応するリソース再構成情報を受信するように構成された受信ユニットであって、前記リソース再構成情報は、前記一次基地局によって送信された第2のメッセージを前記二次基地局が受信した後に送信される、受信ユニットをさらに備える請求項52に記載のユーザー装置。
【請求項５８】
前記リソース再構成情報は、前記ユーザー装置に割り当てられ、前記二次基地局に対応するプリアンブルシーケンス番号および物理ランダムアクセスチャネルシーケンス番号を含み、
前記送信ユニットは、前記二次基地局によって送信された前記リソース再構成情報が受信された後に、前記プリアンブルシーケンス番号および前記物理ランダムアクセスチャネルシーケンス番号に従ってランダムアクセス要求メッセージを前記二次基地局に送信するように構成される請求項57に記載のユーザー装置。
【請求項５９】
前記リソース再構成情報は、前記二次基地局に対応する、前記ユーザー装置に対するタイミングアドバンス情報および/またはアップリンクグラントを含み、
前記送信ユニットは、前記二次基地局によって送信された前記リソース再構成情報が受信された後に、前記タイミングアドバンス情報および/または前記アップリンクグラントを使用することによってアップリンク信号を前記二次基地局に送信するように構成される請求項57に記載のユーザー装置。
【請求項６０】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項57から59のいずれか一項に記載のユーザー装置。
【請求項６１】
前記ユーザー装置が前記第1のメッセージを前記一次基地局に送信した後に、前記一次基地局によって送信され、前記二次基地局に対応するアップリンクリソース構成情報を受信するように構成された受信ユニットをさらに備える請求項52から60のいずれか一項に記載のユーザー装置。
【請求項６２】
前記アップリンクリソース構成情報は、
スケジューリング要求構成情報、サウンディング基準信号構成情報、およびチャネル品質インジケータ報告構成情報のうちの少なくとも1つを含む請求項61に記載のユーザー装置。
【請求項６３】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項52から62のいずれか一項に記載のユーザー装置。
【請求項６４】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項60または63に記載のユーザー装置。
【請求項６５】
二次基地局として使用される基地局であって、
前記二次基地局に対応するリソースがユーザー装置に対して再構成される必要があることを決定するように構成された決定ユニットと、
第1のメッセージを一次基地局に送信するように構成された送信ユニットであって、これにより前記一次基地局が前記ユーザー装置に対する前記二次基地局に対応する前記リソースの再構成を開始する、送信ユニットとを備える基地局。
【請求項６６】
前記二次基地局は、受信ユニットを備え、前記ユーザー装置によって送信されたランダムアクセス要求メッセージを前記受信ユニットが受信する場合に、前記決定ユニットが、前記ユーザー装置に対する前記二次基地局に対応する前記リソースの再構成を決定するか、または
前記二次基地局に対応する、前記ユーザー装置のタイミングアドバンスタイマーTATがタイムアウトになったことが検出された場合に、前記決定ユニットが、前記ユーザー装置に対する前記二次基地局に対応する前記リソースの再構成を決定する請求項65に記載の基地局。
【請求項６７】
前記送信ユニットは、前記二次基地局に対応する前記リソースが前記ユーザー装置に対して再構成される必要があると決定された後に、前記ユーザー装置に対して構成され、前記二次基地局に対応するアップリンクリソース構成情報を前記一次基地局に送信するように構成され、これにより前記一次基地局が前記アップリンクリソース構成情報を前記ユーザー装置に送信する請求項65または66に記載の基地局。
【請求項６８】
前記アップリンクリソース構成情報は、
スケジューリング要求構成情報、サウンディング基準信号構成情報、およびチャネル品質インジケータ報告構成情報のうちの少なくとも1つを含む請求項67に記載の基地局。
【請求項６９】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項65から68のいずれか一項に記載の基地局。
【請求項７０】
再構成を要求する前記理由は、
TATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項69に記載の基地局。
【請求項７１】
一次基地局として使用される基地局であって、
信号の送受信を行うように構成されたトランシーバと、
プロセッサとを備え、前記プロセッサは、
第1のメッセージを前記トランシーバが受信するステップを制御するステップであって、前記第1のメッセージは、二次基地局に対応するリソースをユーザー装置に対して再構成することを要求するために使用される、ステップと、
前記ユーザー装置に対する前記二次基地局に対応する前記リソースの再構成を開始するステップとを実行するように構成される、基地局。
【請求項７２】
前記プロセッサは、前記第1のメッセージを前記トランシーバが受信するステップを、前記ユーザー装置から前記第1のメッセージを前記トランシーバが受信するステップを制御する形で制御し、
前記プロセッサは、前記ユーザー装置に対する前記二次基地局に対応する前記リソースの再構成を、リソース再構成情報を前記ユーザー装置に前記トランシーバが送信するステップを制御する形で開始し、前記リソース再構成情報は、前記ユーザー装置に対して再構成され、前記二次基地局に対応する前記リソースに関する情報である請求項71に記載の基地局。
【請求項７３】
前記リソース再構成情報は、前記ユーザー装置に割り当てられ、前記二次基地局に対応するプリアンブルシーケンス番号および物理ランダムアクセスチャネルシーケンス番号を含み、
前記プロセッサは、前記リソース再構成情報を前記ユーザー装置に前記トランシーバが送信するステップを、前記プリアンブルシーケンス番号および前記物理ランダムアクセスチャネルシーケンス番号を前記トランシーバが前記ユーザー装置に送信し、これにより前記ユーザー装置が前記プリアンブルシーケンス番号および前記物理ランダムアクセスチャネルシーケンス番号に従ってランダムアクセス要求メッセージを前記二次基地局に送信するように制御する形で制御する請求項72に記載の基地局。
【請求項７４】
前記リソース再構成情報は、前記二次基地局に対応する、前記ユーザー装置に対するタイミングアドバンス情報および/またはアップリンクグラントを含み、
前記プロセッサは、前記リソース再構成情報を前記ユーザー装置に前記トランシーバが送信するステップを、前記タイミングアドバンス情報および/または前記アップリンクグラントを前記ユーザー装置に前記トランシーバが送信するステップを制御する形で制御する請求項72に記載の基地局。
【請求項７５】
前記プロセッサは、前記リソース再構成情報が前記ユーザー装置に送信される前に前記ユーザー装置に対する前記リソース再構成情報を決定する請求項72から74のいずれか一項に記載の基地局。
【請求項７６】
前記プロセッサは、前記第1のメッセージを前記トランシーバが受信するステップを、前記ユーザー装置から前記第1のメッセージを前記トランシーバが受信するステップを制御する形で制御し、
前記プロセッサは、前記ユーザー装置に対する前記二次基地局に対応する前記リソースの再構成を、第2のメッセージを前記二次基地局に前記トランシーバが送信し、これにより前記二次基地局が、前記二次基地局に対応するリソース再構成情報を前記ユーザー装置に送信するように制御する形で開始する請求項71に記載の基地局。
【請求項７７】
前記プロセッサは、前記第2のメッセージを前記二次基地局に前記トランシーバが送信するステップであって、前記第2のメッセージが、前記二次基地局に対応する前記リソース再構成情報を前記二次基地局が前記ユーザー装置に送信することをトリガーするために使用される、ステップを、
前記プロセッサが、前記第2のメッセージを前記二次基地局に前記トランシーバが送信するステップを、前記第2のメッセージは、前記二次基地局に、プリアンブルシーケンス番号および物理ランダムアクセスチャネルシーケンス番号を前記ユーザー装置に割り当てることと、前記プリアンブルシーケンス番号および前記物理ランダムアクセスチャネルシーケンス番号を前記ユーザー装置に送信することとを要求するために使用され、これにより前記ユーザー装置が前記プリアンブルシーケンス番号および前記物理ランダムアクセスチャネルシーケンス番号に従ってランダムアクセス要求メッセージを前記二次基地局に送信するように制御する形で制御する請求項76に記載の基地局。
【請求項７８】
前記プロセッサは、前記第2のメッセージを前記二次基地局に前記トランシーバが送信するステップであって、前記第2のメッセージが、前記二次基地局に対応する前記リソース再構成情報を前記二次基地局が前記ユーザー装置に送信することをトリガーするために使用される、ステップを、
前記プロセッサが、前記第2のメッセージを前記二次基地局に前記トランシーバが送信するステップであって、前記第2のメッセージは、前記二次基地局に、第3のメッセージを前記ユーザー装置に送信することを要求するために使用され、前記第3のメッセージは、前記二次基地局に対応する、前記ユーザー装置に対するタイミングアドバンス情報および/またはアップリンクグラントを含む、ステップを制御する形で制御する請求項76に記載の基地局。
【請求項７９】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項76から78のいずれか一項に記載の基地局。
【請求項８０】
前記プロセッサは、前記第1のメッセージを前記トランシーバが受信するステップを、
前記二次基地局によって送信された前記第1のメッセージを前記トランシーバが受信するステップを制御する形で制御する請求項71に記載の基地局。
【請求項８１】
前記第1のメッセージは、前記ユーザー装置によって送信されたランダムアクセス要求メッセージを前記二次基地局が受信した後に送信されるか、または
前記第1のメッセージは、前記二次基地局に対応する、前記ユーザー装置のタイミングアドバンスタイマーTATがタイムアウトになったことを前記二次基地局が検出した後に送信される請求項80に記載の基地局。
【請求項８２】
前記プロセッサは、前記二次基地局によって送信され、前記ユーザー装置に対して構成され、前記二次基地局に対応するアップリンクリソース構成情報を前記トランシーバが受信するステップを制御し、
前記プロセッサは、前記ユーザー装置に対する前記二次基地局に対応する前記リソースの再構成を、前記アップリンクリソース構成情報を前記ユーザー装置に前記トランシーバが送信するステップを制御する形で開始する請求項80または81に記載の基地局。
【請求項８３】
前記プロセッサは、前記ユーザー装置に対する前記二次基地局に対応する前記リソースの再構成を、
前記二次基地局に対応するアップリンクリソース構成情報を前記ユーザー装置に前記トランシーバが送信するステップを制御する形で開始する請求項71から81のいずれか一項に記載の基地局。
【請求項８４】
前記アップリンクリソース構成情報は、
スケジューリング要求構成情報、サウンディング基準信号構成情報、およびチャネル品質インジケータ報告構成情報のうちの少なくとも1つを含む請求項82または83に記載の基地局。
【請求項８５】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項71から84のいずれか一項に記載の基地局。
【請求項８６】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項79または85に記載の基地局。
【請求項８７】
信号の送受信を行うように構成されたトランシーバと、
プロセッサとを備え、前記プロセッサは、
二次基地局に対応するリソースが再構成される必要があると決定するステップと、
第1のメッセージを一次基地局に前記トランシーバが送信し、これにより前記一次基地局がユーザー装置に対する前記二次基地局に対応する前記リソースの再構成を開始するのを制御するステップとを実行するように構成される、ユーザー装置。
【請求項８８】
前記ユーザー装置が前記第1のメッセージを前記一次基地局に送信した後に、前記プロセッサは、前記一次基地局によって送信されたリソース再構成情報を前記トランシーバが受信するステップであって、前記リソース再構成情報は、前記ユーザー装置に対して再構成され、前記二次基地局に対応する前記リソースに関する情報である、ステップを制御する請求項87に記載のユーザー装置。
【請求項８９】
前記リソース再構成情報は、前記ユーザー装置に割り当てられ、前記二次基地局に対応するプリアンブルシーケンス番号および物理ランダムアクセスチャネルシーケンス番号を含み、
前記一次基地局によって送信された前記リソース再構成情報が受信された後に、前記プロセッサは、前記プリアンブルシーケンス番号および前記物理ランダムアクセスチャネルシーケンス番号に従ってランダムアクセス要求メッセージを前記二次基地局に前記トランシーバが送信するステップを制御する請求項88に記載のユーザー装置。
【請求項９０】
前記リソース再構成情報は、前記二次基地局に対応する、前記ユーザー装置に対するタイミングアドバンス情報および/またはアップリンクグラントを含み、
前記一次基地局によって送信された前記リソース再構成情報が受信された後に、前記プロセッサは、前記タイミングアドバンス情報および/または前記アップリンクグラントを使用することによってアップリンク信号を前記二次基地局に前記トランシーバが送信するステップを制御する請求項88に記載のユーザー装置。
【請求項９１】
前記リソース再構成情報は、前記ユーザー装置に対して前記一次基地局によって決定される請求項88から90のいずれか一項に記載のユーザー装置。
【請求項９２】
前記第1のメッセージが前記一次基地局に送信された後に、前記プロセッサは、前記二次基地局によって送信され、前記二次基地局に対応するリソース再構成情報を前記トランシーバが受信するステップであって、前記リソース再構成情報は、前記一次基地局によって送信された第2のメッセージを前記二次基地局が受信した後に送信される、ステップを制御する請求項87に記載のユーザー装置。
【請求項９３】
前記リソース再構成情報は、前記ユーザー装置に割り当てられ、前記二次基地局に対応するプリアンブルシーケンス番号および物理ランダムアクセスチャネルシーケンス番号を含み、
前記二次基地局によって送信された前記リソース再構成情報が受信された後に、前記プロセッサは、前記プリアンブルシーケンス番号および前記物理ランダムアクセスチャネルシーケンス番号に従ってランダムアクセス要求メッセージを二次基地局に前記トランシーバが送信するステップを制御する請求項92に記載のユーザー装置。
【請求項９４】
前記リソース再構成情報は、前記二次基地局に対応する、前記ユーザー装置に対するタイミングアドバンス情報および/またはアップリンクグラントを含み、
前記二次基地局によって送信された前記リソース再構成情報が受信された後に、前記プロセッサは、前記タイミングアドバンス情報および/または前記アップリンクグラントを使用することによってアップリンク信号を前記二次基地局に前記トランシーバが送信するステップを制御する請求項92に記載のユーザー装置。
【請求項９５】
前記第2のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項92から94のいずれか一項に記載のユーザー装置。
【請求項９６】
前記第1のメッセージが前記一次基地局に送信された後に、前記プロセッサは、前記一次基地局によって送信され、前記二次基地局に対応するアップリンクリソース構成情報を前記トランシーバが受信するステップを制御する請求項87から95のいずれか一項に記載のユーザー装置。
【請求項９７】
前記アップリンクリソース構成情報は、
スケジューリング要求構成情報、サウンディング基準信号構成情報、およびチャネル品質インジケータ報告構成情報のうちの少なくとも1つを含む請求項96に記載のユーザー装置。
【請求項９８】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項87から97のいずれか一項に記載のユーザー装置。
【請求項９９】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項95または98に記載のユーザー装置。
【請求項１００】
二次基地局として使用される基地局であって、
信号の送受信を行うように構成されたトランシーバと、
プロセッサとを備え、前記プロセッサは、
前記二次基地局に対応するリソースがユーザー装置に対して再構成される必要があると決定するステップと、
第1のメッセージを一次基地局に前記トランシーバが送信し、これにより前記一次基地局が前記ユーザー装置に対する前記二次基地局に対応する前記リソースの再構成を開始するのを、制御するステップとを実行するように構成される、基地局。
【請求項１０１】
前記プロセッサは、前記二次基地局に対応する前記リソースが前記ユーザー装置に対して再構成される必要があることを、
前記トランシーバが前記ユーザー装置によって送信されたランダムアクセス要求メッセージを受信した場合に、前記プロセッサは、前記ユーザー装置に対する前記二次基地局に対応する前記リソースの再構成を決定するか、または
前記プロセッサが、前記二次基地局に対応する、前記ユーザー装置のタイミングアドバンスタイマーTATがタイムアウトになったことを検出した場合に、前記プロセッサは、前記ユーザー装置に対する前記二次基地局に対応する前記リソースの再構成を決定する形で決定する請求項100に記載の基地局。
【請求項１０２】
前記二次基地局に対応する前記リソースが前記ユーザー装置に対して再構成される必要があることを決定した後に、前記プロセッサは、前記ユーザー装置に対して構成され、前記二次基地局に対応するアップリンクリソース構成情報を前記一次基地局に前記トランシーバが送信するステップを制御し、これにより前記一次基地局が前記アップリンクリソース構成情報を前記ユーザー装置に送信する請求項100または101に記載の基地局。
【請求項１０３】
前記アップリンクリソース構成情報は、
スケジューリング要求構成情報、サウンディング基準信号構成情報、およびチャネル品質インジケータ報告構成情報のうちの少なくとも1つを含む請求項102に記載の基地局。
【請求項１０４】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項100から103のいずれか一項に記載の基地局。
【請求項１０５】
再構成を要求する前記理由は、
TATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項104に記載の基地局。
【発明の詳細な説明】
【技術分野】
【０００１】
本出願は、通信分野に関し、特に、リソース再構成方法(resource reconfiguration method)、基地局、およびユーザー装置に関する。
【背景技術】
【０００２】
ユーザー装置(User Equipment、略してUE)は、基地局のセルとのアップリンク通信を実行する必要がある場合、そのセルのタイミングアドバンス(Time Advance、TA)を取得する必要がある。特定のUEから特定のセルへのTAは、UEの位置などのファクターの変化と共に変化し、したがって、基地局から最新のTAを取得した後、毎回、UEは、タイミングアドバンスタイマー(Time Advance Timer、TAT)を始動または再始動する。TATがタイムアウトになると、UEは、すでに取得されているTAがもはや有効でないとみなし、したがって、アップリンクリソース構成が解放され、ランダムアクセス要求を除くすべてのアップリンク伝送が終了され、これにより、不要なアップリンク干渉が回避される。UEから複数のセルへのTAが同じである場合、それら複数のセルは同じTAグループに属す。同じTAグループに属すセルは、同じTATを共有する。UEによって維持されているTATに対応して、基地局もタイマーを維持する。最新のTAをUEに送信した後、毎回、基地局も、これに対応して、基地局によって維持されているタイマーを始動または再始動し、したがって、基地局は、基地局によって維持されているタイマーの状態を使用することによって、UEによって維持されている対応するTATの状態を推論することができる。
【０００３】
UEが新しいアップリンクデータを基地局に送信する必要がある場合、UEは、スケジューリング要求(Scheduling Request、SR)を基地局の特定のセルに送信して、アップリンクリソースを要求する。基地局がSRに応答しない場合、UEは、SRを繰り返し送信することができるが、最大繰り返し回数を超えることはできない。UEがSRを送信する回数が最大繰り返し回数に達した場合、UEは、SR失敗が発生したとみなす。UEがSR失敗を検出した場合、UEは、アップリンクリソース構成を解放し、基地局へのランダムアクセス要求を開始する。
【０００４】
物理アップリンク制御チャネル(Physical Uplink Control Channel、PUCCH)リソースも、UEがSRを送信するために必要である。ほとんどの場合、基地局は、SRを送信するためのPUCCHリソースを構成して予めUEに送信しておく。しかし、PUCCHリソースは、比較的乏しいため、UEのアップリンクサービスなどの条件によっては、基地局も、SRを送信するためのPUCCHリソースをUEに対して予め割り当てることができない。
【０００５】
アップリンクデータがUEに届いたが、UEがTATがタイムアウトになったことを検出するか、またはSR失敗が発生したことを検出するか、またはSRの送信に利用可能なPUCCHリソースがないことを検出した後、UEは、基地局への競合ベースのランダムアクセスプロセスを開始する。このプロセスでは、UEは、更新されたTAおよびアップリンクグラント(Uplink Grant、UL Grant、ULグラント)を取得し、アップリンクグラントは割り当てられたアップリンクリソースに対応する。UEは、アップリンクリソースを使用することによって、バッファステータスレポート(Buffer Status Report、略してBSR)などのアップリンクデータまたは制御情報を送信することができる。次いで、基地局は、再構成メッセージをUEに送信することができ、メッセージは、アップリンクリソース構成を含み、アップリンクリソース構成は、特に、スケジューリング要求(Scheduling Request、SR)構成、サウンディング(Sounding)基準信号構成、およびチャネル品質インジケータ(Channel Quality Indicator、CQI)報告構成のうちの少なくとも一種類を含む。UEは、アップリンクリソース構成に従ってSR、サウンディング、およびCQIを基地局に送信する。新しい種類のネットワーク展開において、UEは、2つよりも多い基地局と同時に通信することができ、一方の基地局は、一次基地局と称され、他方の基地局は、二次基地局と称されてよく、一次基地局および二次基地局は、接続される。
【０００６】
UEが、従来技術に従って、二次基地局のTATがタイムアウトになるか、またはUEのSR失敗が二次基地局において発生するか、またはUEに、SRを二次基地局に送信するPUCCHリソースがないことを検出した場合、UEは、二次基地局にのみ競合ベースのランダムアクセスプロセスを開始することができ、次いで、二次基地局は、再構成メッセージをUEに送信することができる。しかし、従来技術の二次基地局は、再構成機能を備えていない場合があり、そのため、再構成プロセスが失敗し得る。
【０００７】
それに加えて、UEによって使用される競合ベースのランダムアクセスプロセスは、比較的長い遅延時間を有し、衝突により容易に失敗し、それによって、アップリンクデータの送信が遅延し、ユーザーエクスペリエンスが妨げられる。
【発明の概要】
【発明が解決しようとする課題】
【０００８】
このような事情を鑑みて、本出願は、二次基地局が再構成機能を備えていない場合に二次基地局においてユーザー装置を再構成することができないという従来技術の問題点を解決する、リソース再構成方法、基地局、およびユーザー装置を提供する。
【課題を解決するための手段】
【０００９】
第1の態様により提供されるリソース再構成方法は、第1のメッセージを、一次基地局によって受信するステップであって、第1のメッセージは、二次基地局に対応するリソースをユーザー装置に対して再構成することを要求するために使用される、ステップと、ユーザー装置に対する二次基地局に対応するリソースの再構成を、一次基地局によって開始するステップとを含む。
【００１０】
前述のオプションの実装様式のうちのいずれか1つにおいて、第1のメッセージを、一次基地局によって受信するステップは、ユーザー装置から第1のメッセージを、一次基地局によって受信するステップを含み、ユーザー装置に対する二次基地局に対応するリソースの再構成を、一次基地局によって開始するステップは、リソース再構成情報をユーザー装置に、一次基地局によって送信するステップであって、リソース再構成情報は、ユーザー装置に対して再構成され、二次基地局に対応するリソースに関する情報である、ステップを含む。
【００１１】
前述のオプションの実装様式のうちのいずれか1つにおいて、リソース再構成情報は、ユーザー装置に割り当てられ、二次基地局に対応する、プリアンブルシーケンス番号および物理ランダムアクセスチャネルシーケンス番号を含み、リソース再構成情報をユーザー装置に、一次基地局によって送信するステップは、プリアンブルシーケンス番号および物理ランダムアクセスチャネルシーケンス番号をユーザー装置に、一次基地局によって送信し、これによりユーザー装置がプリアンブルシーケンス番号および物理ランダムアクセスチャネルシーケンス番号に従ってランダムアクセス要求メッセージを二次基地局に送信するステップを含む。
【００１２】
前述のオプションの実装様式のうちのいずれか1つにおいて、リソース再構成情報は、二次基地局に対応する、ユーザー装置に対するタイミングアドバンス情報および/またはアップリンクグラントを含み、リソース再構成情報をユーザー装置に、一次基地局によって送信するステップは、タイミングアドバンス情報および/またはアップリンクグラントをユーザー装置に、一次基地局によって送信するステップを含む。
【００１３】
前述のオプションの実装様式のうちのいずれか1つにおいて、リソース再構成情報をユーザー装置に、一次基地局によって送信するステップの前に、一次基地局は、ユーザー装置に対するリソース再構成情報を決定する。
【００１４】
前述のオプションの実装様式のうちのいずれか1つにおいて、第1のメッセージを、一次基地局によって受信するステップは、ユーザー装置から第1のメッセージを、一次基地局によって受信するステップを含み、ユーザー装置に対する二次基地局に対応するリソースの再構成を、一次基地局によって開始するステップは、第2のメッセージを二次基地局に、一次基地局によって送信し、これにより二次基地局が二次基地局に対応するリソース再構成情報をユーザー装置に送信するステップを含む。
【００１５】
前述のオプションの実装様式のうちのいずれか1つにおいて、第2のメッセージを二次基地局に、一次基地局によって送信するステップであって、第2のメッセージが、二次基地局に対応するリソース再構成情報を二次基地局がユーザー装置に送信することをトリガーするために使用される、ステップは、第2のメッセージを二次基地局に、一次基地局によって送信するステップであって、第2のメッセージが、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求するために使用され、これによりユーザー装置がプリアンブルシーケンス番号および物理ランダムアクセスチャネルシーケンス番号に従ってランダムアクセス要求メッセージを二次基地局に送信する、ステップを含む。
【００１６】
前述のオプションの実装様式のうちのいずれか1つにおいて、第2のメッセージを二次基地局に、一次基地局によって送信するステップであって、第2のメッセージが、二次基地局に対応するリソース再構成情報を二次基地局がユーザー装置に送信することをトリガーするために使用される、ステップは、第2のメッセージを二次基地局に、一次基地局によって送信するステップであって、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む、ステップを含む。
【００１７】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【００１８】
前述のオプションの実装様式のうちのいずれか1つにおいて、第1のメッセージを、一次基地局によって受信するステップは、二次基地局によって送信された第1のメッセージを、一次基地局によって受信するステップを含む。
【００１９】
前述のオプションの実装様式のうちのいずれか1つにおいて、第1のメッセージは、ユーザー装置によって送信されたランダムアクセス要求メッセージを二次基地局が受信した後に送信されるか、または第1のメッセージは、二次基地局に対応する、ユーザー装置のタイミングアドバンスタイマーTATがタイムアウトになったことを二次基地局が検出した後に送信される。
【００２０】
前述のオプションの実装様式のうちのいずれか1つにおいて、一次基地局は、二次基地局によって送信され、ユーザー装置に対して構成され、二次基地局に対応するアップリンクリソース構成情報を受信し、ユーザー装置に対する二次基地局に対応するリソースの再構成を、一次基地局によって開始するステップは、アップリンクリソース構成情報をユーザー装置に、一次基地局によって送信するステップを含む。
【００２１】
前述のオプションの実装様式のうちのいずれか1つにおいて、ユーザー装置に対する二次基地局に対応するリソースの再構成を、一次基地局によって開始するステップは、二次基地局に対応するアップリンクリソース構成情報をユーザー装置に一次基地局によって送信するステップを含む。
【００２２】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００２３】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００２４】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００２５】
第2の態様により提供されるリソース再構成方法は、二次基地局に対応するリソースが再構成される必要があることを、ユーザー装置によって決定するステップと、第1のメッセージを一次基地局に、ユーザー装置によって送信し、これにより一次基地局がユーザー装置に対する二次基地局に対応するリソースの再構成を開始するステップとを含む。
【００２６】
前述のオプションの実装様式のうちのいずれか1つにおいて、第1のメッセージを一次基地局に、ユーザー装置によって送信するステップの後に、ユーザー装置は、一次基地局によって送信されたリソース再構成情報を受信し、リソース再構成情報は、ユーザー装置に対して再構成され、二次基地局に対応するリソースに関する情報である。
【００２７】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、一次基地局によって送信されたリソース再構成情報を受信するステップの後に、ユーザー装置は、プリアンブルシーケンス番号および物理ランダムアクセスチャネルシーケンス番号に従ってランダムアクセス要求メッセージを二次基地局に送信する。
【００２８】
前述のオプションの実装様式のうちのいずれか1つにおいて、リソース再構成情報は、二次基地局に対応する、ユーザー装置に対するタイミングアドバンス情報および/またはアップリンクグラントを含み、一次基地局によって送信されたリソース再構成情報を受信するステップの後に、ユーザー装置は、タイミングアドバンス情報および/またはアップリンクグラントを使用することによってアップリンク信号を二次基地局に送信する。
【００２９】
前述のオプションの実装様式のうちのいずれか1つにおいて、リソース再構成情報は、ユーザー装置に対して一次基地局によって決定される。
【００３０】
前述のオプションの実装様式のうちのいずれか1つにおいて、第1のメッセージを一次基地局に、ユーザー装置によって送信するステップの後に、ユーザー装置は、二次基地局によって送信され、二次基地局に対応するリソース再構成情報を受信し、リソース再構成情報は、一次基地局によって送信された第2のメッセージを二次基地局が受信した後に送信される。
【００３１】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、二次基地局によって送信されたリソース再構成情報を受信するステップの後に、ユーザー装置は、プリアンブルシーケンス番号および物理ランダムアクセスチャネルシーケンス番号に従ってランダムアクセス要求メッセージを二次基地局に送信する。
【００３２】
前述のオプションの実装様式のうちのいずれか1つにおいて、リソース再構成情報は、二次基地局に対応する、ユーザー装置に対するタイミングアドバンス情報および/またはアップリンクグラントを含み、二次基地局によって送信されたリソース再構成情報を受信するステップの後に、ユーザー装置は、タイミングアドバンス情報および/またはアップリンクグラントを使用することによってアップリンク信号を二次基地局に送信する。
【００３３】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【００３４】
前述のオプションの実装様式のうちのいずれか1つにおいて、第1のメッセージを一次基地局に、ユーザー装置によって送信するステップの後に、ユーザー装置は、一次基地局によって送信され、二次基地局に対応するアップリンクリソース構成情報を受信する。
【００３５】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００３６】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００３７】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００３８】
第3の態様により提供されるリソース再構成方法は、二次基地局に対応するリソースがユーザー装置に対して再構成される必要があることを、二次基地局よって決定するステップと、第1のメッセージを一次基地局に、二次基地局によって送信し、これにより一次基地局がユーザー装置に対する二次基地局に対応するリソースの再構成を開始するステップとを含む。
【００３９】
前述のオプションの実装様式のうちのいずれか1つにおいて、二次基地局に対応するリソースがユーザー装置に対して再構成される必要があることを、二次基地局よって決定するステップは、ユーザー装置によって送信されたランダムアクセス要求メッセージを受信したときに、ユーザー装置に対する二次基地局に対応するリソースの再構成を、二次基地局によって決定するステップ、または二次基地局に対応する、ユーザー装置のタイミングアドバンスタイマーTATがタイムアウトになったことを検出したときに、ユーザー装置に対する二次基地局に対応するリソースの再構成を、二次基地局によって決定するステップを含む。
【００４０】
前述のオプションの実装様式のうちのいずれか1つにおいて、二次基地局に対応するリソースがユーザー装置に対して再構成される必要があることを、二次基地局よって決定するステップの後に、二次基地局は、ユーザー装置に対して構成され、二次基地局に対応するアップリンクリソース構成情報を一次基地局に送信し、これにより一次基地局がアップリンクリソース構成情報をユーザー装置に送信する。
【００４１】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００４２】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００４３】
前述のオプションの実装様式のうちのいずれか1つにおいて、再構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００４４】
第4の態様により基地局が実現され、基地局は、一次基地局として使用され、この基地局は、第1のメッセージを受信するように構成された受信ユニットであって、第1のメッセージは、二次基地局に対応するリソースをユーザー装置に対して再構成することを要求するために使用される、受信ユニットと、ユーザー装置に対する二次基地局に対応するリソースの再構成を開始するように構成された開始ユニットとを備える。
【００４５】
前述のオプションの実装様式のうちのいずれか1つにおいて、受信ユニットは、ユーザー装置から第1のメッセージを受信するように構成され、一次基地局は、送信ユニットをさらに備え、開始ユニットは、送信ユニットを制御してリソース再構成情報をユーザー装置に送信するように構成され、リソース再構成情報は、ユーザー装置に対して再構成され、二次基地局に対応するリソースに関する情報である。
【００４６】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、開始ユニットは、送信ユニットを制御してプリアンブルシーケンス番号および物理ランダムアクセスチャネルシーケンス番号をユーザー装置に送信するように構成され、これによりユーザー装置がプリアンブルシーケンス番号および物理ランダムアクセスチャネルシーケンス番号に従ってランダムアクセス要求メッセージを二次基地局に送信する。
【００４７】
前述のオプションの実装様式のうちのいずれか1つにおいて、リソース再構成情報は、二次基地局に対応する、ユーザー装置に対するタイミングアドバンス情報および/またはアップリンクグラントを含み、開始ユニットは、送信ユニットを制御してタイミングアドバンス情報および/またはアップリンクグラントをユーザー装置に送信するように構成される。
【００４８】
前述のオプションの実装様式のうちのいずれか1つにおいて、一次基地局は、リソース再構成情報を一次基地局がユーザー装置に送信する前にユーザー装置に対してリソース再構成情報を決定するように構成された決定ユニットをさらに備える。
【００４９】
前述のオプションの実装様式のうちのいずれか1つにおいて、受信ユニットは、ユーザー装置から第1のメッセージを受信するように構成され、一次基地局は、送信ユニットをさらに備え、開始ユニットは、送信ユニットが第2のメッセージを二次基地局に送信するステップを制御するように構成され、これにより二次基地局が二次基地局に対応するリソース再構成情報をユーザー装置に送信する。
【００５０】
前述のオプションの実装様式のうちのいずれか1つにおいて、開始ユニットは、送信ユニットを制御して第2のメッセージを二次基地局に送信するように構成され、第2のメッセージは、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求するために使用され、これによりユーザー装置がプリアンブルシーケンス番号および物理ランダムアクセスチャネルシーケンス番号に従ってランダムアクセス要求メッセージを二次基地局に送信する。
【００５１】
前述のオプションの実装様式のうちのいずれか1つにおいて、開始ユニットは、送信ユニットを制御して第2のメッセージを二次基地局に送信するように構成され、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む。
【００５２】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【００５３】
前述のオプションの実装様式のうちのいずれか1つにおいて、受信ユニットは、二次基地局によって送信された第1のメッセージを受信するように構成される。
【００５４】
前述のオプションの実装様式のうちのいずれか1つにおいて、第1のメッセージは、ユーザー装置によって送信されたランダムアクセス要求メッセージを二次基地局が受信した後に送信されるか、または第1のメッセージは、二次基地局に対応する、ユーザー装置のタイミングアドバンスタイマーTATがタイムアウトになったことを二次基地局が検出した後に送信される。
【００５５】
前述のオプションの実装様式のうちのいずれか1つにおいて、受信ユニットは、二次基地局によって送信され、ユーザー装置に対して構成され、二次基地局に対応するアップリンクリソース構成情報を受信するようにさらに構成され、一次基地局は、送信ユニットをさらに備え、開始ユニットは、送信ユニットを制御してアップリンクリソース構成情報をユーザー装置に送信するように構成される。
【００５６】
前述のオプションの実装様式のうちのいずれか1つにおいて、一次基地局は、送信ユニットをさらに備え、開始ユニットは、送信ユニットを制御して二次基地局に対応するアップリンクリソース構成情報をユーザー装置に送信するように構成される。
【００５７】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００５８】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００５９】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００６０】
第5の態様により実現されるユーザー装置は、二次基地局に対応するリソースが再構成される必要があることを決定するように構成された決定ユニットと、第1のメッセージを一次基地局に送信するように構成された送信ユニットであって、これにより一次基地局がユーザー装置に対する二次基地局に対応するリソースの再構成を開始する、送信ユニットとを備える。
【００６１】
前述のオプションの実装様式のうちのいずれか1つにおいて、ユーザー装置は、第1のメッセージが一次基地局に送信された後に、一次基地局によって送信されたリソース再構成情報を受信するように構成された受信ユニットをさらに備え、リソース再構成情報は、ユーザー装置に対して再構成され、二次基地局に対応するリソースに関する情報である。
【００６２】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、送信ユニットは、一次基地局によって送信されたリソース再構成情報が受信された後に、プリアンブルシーケンス番号および物理ランダムアクセスチャネルシーケンス番号に従ってランダムアクセス要求メッセージを二次基地局に送信するようにさらに構成される。
【００６３】
前述のオプションの実装様式のうちのいずれか1つにおいて、リソース再構成情報は、二次基地局に対応する、ユーザー装置に対するタイミングアドバンス情報および/またはアップリンクグラントを含み、送信ユニットは、一次基地局によって送信されたリソース再構成情報が受信された後に、タイミングアドバンス情報および/またはアップリンクグラントを使用することによってアップリンク信号を二次基地局に送信するようにさらに構成される。
【００６４】
前述のオプションの実装様式のうちのいずれか1つにおいて、リソース再構成情報は、ユーザー装置に対して一次基地局によって決定される。
【００６５】
前述のオプションの実装様式のうちのいずれか1つにおいて、ユーザー装置は、ユーザー装置が第1のメッセージを一次基地局に送信した後に、二次基地局によって送信され、二次基地局に対応するリソース再構成情報を受信するように構成された受信ユニットをさらに備え、リソース再構成情報は、一次基地局によって送信された第2のメッセージを二次基地局が受信した後に送信される。
【００６６】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、送信ユニットは、二次基地局によって送信されたリソース再構成情報が受信された後に、プリアンブルシーケンス番号および物理ランダムアクセスチャネルシーケンス番号に従ってランダムアクセス要求メッセージを二次基地局に送信するように構成される。
【００６７】
前述のオプションの実装様式のうちのいずれか1つにおいて、リソース再構成情報は、二次基地局に対応する、ユーザー装置に対するタイミングアドバンス情報および/またはアップリンクグラントを含み、送信ユニットは、二次基地局によって送信されたリソース再構成情報が受信された後に、タイミングアドバンス情報および/またはアップリンクグラントを使用することによってアップリンク信号を二次基地局に送信するように構成される。
【００６８】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【００６９】
前述のオプションの実装様式のうちのいずれか1つにおいて、ユーザー装置は、ユーザー装置が第1のメッセージを一次基地局に送信した後に、一次基地局によって送信され、二次基地局に対応するアップリンクリソース構成情報を受信するように構成された受信ユニットをさらに備える。
【００７０】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００７１】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００７２】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００７３】
第6の態様により基地局が実現され、基地局は、二次基地局として使用されるものとしてよく、この基地局は、二次基地局に対応するリソースがユーザー装置に対して再構成される必要があることを決定するように構成された決定ユニットと、第1のメッセージを一次基地局に送信するように構成された送信ユニットであって、これにより一次基地局がユーザー装置に対する二次基地局に対応するリソースの再構成を開始する、送信ユニットとを備える。
【００７４】
前述のオプションの実装様式のうちのいずれか1つにおいて、二次基地局は、受信ユニットを備え、ユーザー装置によって送信されたランダムアクセス要求メッセージを受信ユニットが受信する場合に、決定ユニットが、ユーザー装置に対する二次基地局に対応するリソースの再構成を決定するか、または二次基地局に対応する、ユーザー装置のタイミングアドバンスタイマーTATがタイムアウトになったことが検出された場合に、決定ユニットが、ユーザー装置に対する二次基地局に対応するリソースの再構成を決定する。
【００７５】
前述のオプションの実装様式のうちのいずれか1つにおいて、送信ユニットは、二次基地局に対応するリソースがユーザー装置に対して再構成される必要があると決定された後に、ユーザー装置に対して構成され、二次基地局に対応するアップリンクリソース構成情報を一次基地局に送信し、これにより一次基地局がアップリンクリソース構成情報をユーザー装置に送信する、ように構成される。
【００７６】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００７７】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００７８】
前述のオプションの実装様式のうちのいずれか1つにおいて、構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００７９】
第7の態様により基地局が実現され、基地局は、一次基地局として使用され、この基地局は、信号の送受信を行うように構成されたトランシーバと、プロセッサとを備え、プロセッサは、第1のメッセージをトランシーバが受信するステップを制御するステップであって、第1のメッセージは、二次基地局に対応するリソースをユーザー装置に対して再構成することを要求するために使用される、ステップと、ユーザー装置に対する二次基地局に対応するリソースの再構成を開始するステップとを実行するように構成される。
【００８０】
前述のオプションの実装様式のうちのいずれか1つにおいて、プロセッサは、第1のメッセージをトランシーバが受信するステップを、ユーザー装置から第1のメッセージをトランシーバが受信するステップを制御する形で制御し、プロセッサは、ユーザー装置に対する二次基地局に対応するリソースの再構成を、リソース再構成情報をユーザー装置にトランシーバが送信するステップを制御する形で開始し、リソース再構成情報は、ユーザー装置に対して再構成され、二次基地局に対応するリソースに関する情報である。
【００８１】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、プロセッサは、リソース再構成情報をユーザー装置にトランシーバが送信するステップを、プリアンブルシーケンス番号および物理ランダムアクセスチャネルシーケンス番号をトランシーバがユーザー装置に送信し、これによりユーザー装置がプリアンブルシーケンス番号および物理ランダムアクセスチャネルシーケンス番号に従ってランダムアクセス要求メッセージを二次基地局に送信するステップを制御する形で制御する。
【００８２】
前述のオプションの実装様式のうちのいずれか1つにおいて、リソース再構成情報は、二次基地局に対応する、ユーザー装置に対するタイミングアドバンス情報および/またはアップリンクグラントを含み、プロセッサは、リソース再構成情報をユーザー装置にトランシーバが送信するステップを、タイミングアドバンス情報および/またはアップリンクグラントをユーザー装置にトランシーバが送信するステップを制御する形で制御する。
【００８３】
前述のオプションの実装様式のうちのいずれか1つにおいて、プロセッサは、リソース再構成情報がユーザー装置に送信される前にユーザー装置に対するリソース再構成情報を決定する。
【００８４】
前述のオプションの実装様式のうちのいずれか1つにおいて、プロセッサは、第1のメッセージをトランシーバが受信するステップを、ユーザー装置から第1のメッセージをトランシーバが受信するステップを制御する形で制御し、プロセッサは、ユーザー装置に対する二次基地局に対応するリソースの再構成を、第2のメッセージを二次基地局にトランシーバが送信し、これにより二次基地局が二次基地局に対応するリソース再構成情報をユーザー装置に送信するように制御する形で開始する。
【００８５】
前述のオプションの実装様式のうちのいずれか1つにおいて、プロセッサは、トランシーバが第2のメッセージを二次基地局に送信するステップであって、第2のメッセージが、二次基地局に対応するリソース再構成情報を二次基地局がユーザー装置に送信することをトリガーするために使用される、ステップを以下のように制御する。プロセッサは、第2のメッセージを二次基地局にトランシーバが送信するステップであって、第2のメッセージは、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求するために使用される、ステップを、ユーザー装置がプリアンブルシーケンス番号および物理ランダムアクセスチャネルシーケンス番号に従ってランダムアクセス要求メッセージを二次基地局に送信するように制御する形で制御する。
【００８６】
前述のオプションの実装様式のうちのいずれか1つにおいて、プロセッサは、第2のメッセージを二次基地局にトランシーバが送信するステップであって、第2のメッセージが、二次基地局に対応するリソース再構成情報を二次基地局がユーザー装置に送信することをトリガーするために使用される、ステップを、第2のメッセージを二次基地局にトランシーバが送信するステップであって、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む、ステップを制御する形で制御する。
【００８７】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【００８８】
前述のオプションの実装様式のうちのいずれか1つにおいて、プロセッサは、第1のメッセージをトランシーバが受信するステップを、二次基地局によって送信された第1のメッセージをトランシーバが受信するステップを制御する形で制御する。
【００８９】
前述のオプションの実装様式のうちのいずれか1つにおいて、第1のメッセージは、ユーザー装置によって送信されたランダムアクセス要求メッセージを二次基地局が受信した後に送信されるか、または第1のメッセージは、二次基地局に対応する、ユーザー装置のタイミングアドバンスタイマーTATがタイムアウトになったことを二次基地局が検出した後に送信される。
【００９０】
前述のオプションの実装様式のうちのいずれか1つにおいて、プロセッサは、トランシーバが二次基地局によって送信され、ユーザー装置に対して構成され、二次基地局に対応するアップリンクリソース構成情報を受信するステップを制御し、プロセッサは、ユーザー装置に対する二次基地局に対応するリソースの再構成を、アップリンクリソース構成情報をユーザー装置にトランシーバが送信するステップを制御する形で開始する。
【００９１】
前述のオプションの実装様式のうちのいずれか1つにおいて、プロセッサは、ユーザー装置に対する二次基地局に対応するリソースの再構成を、二次基地局に対応するアップリンクリソース構成情報をユーザー装置にトランシーバが送信するステップを制御する形で開始する。
【００９２】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【００９３】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【００９４】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【００９５】
第8の態様により実現されるユーザー装置は、信号の送受信を行うように構成されたトランシーバと、プロセッサとを備え、プロセッサは、二次基地局に対応するリソースが再構成される必要があると決定するステップと、第1のメッセージを一次基地局にトランシーバが送信し、これにより一次基地局がユーザー装置に対する二次基地局に対応するリソースの再構成を開始するステップを制御するステップとを実行するように構成される。
【００９６】
前述のオプションの実装様式のうちのいずれか1つにおいて、ユーザー装置が第1のメッセージを一次基地局に送信した後に、プロセッサは、トランシーバが一次基地局によって送信されたリソース再構成情報を受信するステップであって、リソース再構成情報は、ユーザー装置に対して再構成され、二次基地局に対応するリソースに関する情報である、ステップを制御する。
【００９７】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、一次基地局によって送信されたリソース再構成情報が受信された後に、プロセッサは、トランシーバがプリアンブルシーケンス番号および物理ランダムアクセスチャネルシーケンス番号に従ってランダムアクセス要求メッセージを二次基地局に送信するステップを制御する。
【００９８】
前述のオプションの実装様式のうちのいずれか1つにおいて、リソース再構成情報は、二次基地局に対応する、ユーザー装置に対するタイミングアドバンス情報および/またはアップリンクグラントを含み、一次基地局によって送信されたリソース再構成情報が受信された後に、プロセッサは、トランシーバがタイミングアドバンス情報および/またはアップリンクグラントを使用することによってアップリンク信号を二次基地局に送信するステップを制御する。
【００９９】
前述のオプションの実装様式のうちのいずれか1つにおいて、リソース再構成情報は、ユーザー装置に対して一次基地局によって決定される。
【０１００】
前述のオプションの実装様式のうちのいずれか1つにおいて、第1のメッセージが一次基地局に送信された後に、プロセッサは、トランシーバが、二次基地局によって送信され、二次基地局に対応するリソース再構成情報を受信するステップを制御し、リソース再構成情報は、一次基地局によって送信された第2のメッセージを二次基地局が受信した後に送信される。
【０１０１】
前述のオプションの実装様式のうちのいずれか1つにおいて、リソース再構成情報は、ユーザー装置に割り当てられ、二次基地局に対応するプリアンブルシーケンス番号および物理ランダムアクセスチャネルシーケンス番号を含み、二次基地局によって送信されたリソース再構成情報が受信された後に、プロセッサは、トランシーバがプリアンブルシーケンス番号および物理ランダムアクセスチャネルシーケンス番号に従ってランダムアクセス要求メッセージを二次基地局に送信するステップを制御する。
【０１０２】
前述のオプションの実装様式のうちのいずれか1つにおいて、リソース再構成情報は、二次基地局に対応する、ユーザー装置に対するタイミングアドバンス情報および/またはアップリンクグラントを含み、二次基地局によって送信されたリソース再構成情報が受信された後に、プロセッサは、トランシーバがタイミングアドバンス情報および/またはアップリンクグラントを使用することによってアップリンク信号を二次基地局に送信するステップを制御する。
【０１０３】
前述のオプションの実装様式のうちのいずれか1つにおいて、第2のメッセージは、ユーザー装置の識別子、ユーザー装置によって再構成されたリソースであることを要求される二次基地局のセル識別子、および再構成を要求する理由のうちの少なくとも1つの情報を含む。
【０１０４】
前述のオプションの実装様式のうちのいずれか1つにおいて、第1のメッセージが一次基地局に送信された後に、プロセッサは、トランシーバが、一次基地局によって送信され、二次基地局に対応するアップリンクリソース構成情報を受信するステップを制御する。
【０１０５】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【０１０６】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【０１０７】
前述のオプションの実装様式のうちのいずれか1つにおいて、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０１０８】
第9の態様により基地局が実現され、基地局は、二次基地局として使用され、この基地局は、信号の送受信を行うように構成されたトランシーバと、プロセッサとを備え、プロセッサは、二次基地局に対応するリソースがユーザー装置に対して再構成される必要があると決定するステップと、第1のメッセージを一次基地局にトランシーバが送信し、これにより一次基地局がユーザー装置に対する二次基地局に対応するリソースの再構成を開始するステップを制御するステップとを実行するように構成される。
【０１０９】
前述のオプションの実装様式のうちのいずれか1つにおいて、プロセッサは、二次基地局に対応するリソースがユーザー装置に対して再構成される必要があることを、トランシーバがユーザー装置によって送信されたランダムアクセス要求メッセージを受信した場合に、プロセッサは、ユーザー装置に対する二次基地局に対応するリソースの再構成を決定するか、またはプロセッサが、二次基地局に対応する、ユーザー装置のタイミングアドバンスタイマーTATがタイムアウトになったことを検出した場合に、プロセッサは、ユーザー装置に対する二次基地局に対応するリソースの再構成を決定する。
【０１１０】
前述のオプションの実装様式のうちのいずれか1つにおいて、二次基地局に対応するリソースがユーザー装置に対して再構成される必要があると決定した後に、プロセッサは、トランシーバが、ユーザー装置に対して構成され、二次基地局に対応するアップリンクリソース構成情報を一次基地局に送信するステップを制御し、これにより一次基地局がアップリンクリソース構成情報をユーザー装置に送信する。
【０１１１】
前述のオプションの実装様式のうちのいずれか1つにおいて、アップリンクリソース構成情報は、スケジューリング要求構成情報、サウンディング基準信号構成情報、およびチャネル品質インジケータ報告構成情報のうちの少なくとも1つを含む。
【０１１２】
前述のオプションの実装様式のうちのいずれか1つにおいて、第1のメッセージは、ユーザー装置の識別子、ユーザー装置によって再構成されたリソースであることを要求される二次基地局のセル識別子、および再構成を要求する理由のうちの少なくとも1つの情報を含む。
【０１１３】
前述のオプションの実装様式のうちのいずれか1つにおいて、再構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０１１４】
前述の解決方法を使用することによって、一次基地局は、二次基地局に対応するリソースをユーザー装置に対して再構成することを要求するために使用される第1のメッセージを受信し、ユーザー装置に対する二次基地局に対応するリソースの再構成を開始する。このようにして、二次基地局が再構成機能を備えていないときに、二次基地局に対応するリソースをユーザー装置に対して再構成することができる。
【図面の簡単な説明】
【０１１５】
【図１】本発明の一実施形態によるリソース再構成方法の流れ図である。
【図２】本発明の一実施形態による別のリソース再構成方法の流れ図である。
【図３】本発明の一実施形態によるさらに別のリソース再構成方法の流れ図である。
【図４】本発明の実施形態1によるリソース再構成方法の流れ図である。
【図５】本発明の実施形態2によるリソース再構成方法の流れ図である。
【図６】本発明の実施形態3によるリソース再構成方法の流れ図である。
【図７】本発明の実施形態4によるリソース再構成方法の流れ図である。
【図８】本発明の実施形態5によるリソース再構成方法の流れ図である。
【図９】本発明の一実施形態による一次基地局の構造ブロック図である。
【図１０】本発明の一実施形態による一次基地局の好ましい構造ブロック図である。
【図１１】本発明の一実施形態によるユーザー装置の構造ブロック図である。
【図１２】本発明の一実施形態によるユーザー装置の好ましい構造ブロック図である。
【図１３】本発明の一実施形態による二次基地局の構造ブロック図である。
【図１４】本発明の一実施形態による二次基地局の好ましい構造ブロック図である。
【図１５】本発明の一実施形態による別の一次基地局の構造ブロック図である。
【図１６】本発明の一実施形態による別のユーザー装置の構造ブロック図である。
【図１７】本発明の一実施形態による別の二次基地局の構造ブロック図である。
【発明を実施するための形態】
【０１１６】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。
【０１１７】
ユーザー装置は、携帯端末(Mobile Terminal、略してMT)、モバイルユーザー装置、および同様のものであってもよく、無線アクセスネットワーク(例えば、Radio Access Network、略してRAN)を通じて1つまたは複数のコアネットワークと通信し得る。ユーザー装置は、携帯電話(「セルラー」フォンとも称される)などの携帯端末または携帯端末を備えるコンピュータであってよい。例えば、ユーザー装置は、携帯型、ポケットサイズ、ハンドヘルド、コンピュータ内蔵、または車載のモバイル装置であってよい。本出願では、ユーザー装置は、WiFi機能をサポートする。
【０１１８】
基地局は、GSM(登録商標)またはCDMAにおける基地局(Base Transceiver Station、略してBTS)であり、WCDMA(登録商標)における基地局(NodeB)でもあり、さらに、本明細書に限定されない、LTEにおける発展型ノードB(Evolved Node B、略してeNB)であってもよい。本発明の実施形態における二次基地局は、ワイヤレスフィデリティ(Wireless Fidelity、略してWiFi)アクセスポイント(Access Point、略してAP)であってもよく、また、基地局のいくつかの機能を実装できるユーザー装置であってもよい。
【０１１９】
図1は、本発明の一実施形態によるリソース再構成方法の流れ図である。図1に示されているように、この方法は、以下のステップを含む。
【０１２０】
ステップ101:一次基地局は、第1のメッセージを受信し、第1のメッセージは、二次基地局に対応するリソースをユーザー装置に対して再構成することを要求するために使用される。
【０１２１】
ステップ102:一次基地局は、ユーザー装置に対する二次基地局に対応するリソースの再構成を開始する。
【０１２２】
従来技術における実際のネットワーク展開において、一次基地局のみが再構成機能を備える場合があり、二次基地局は、再構成機能を備えていないことがある。この実施形態を使用することによって、一次基地局は、二次基地局が再構成機能を備えていない場合に二次基地局に対応するリソースがユーザー装置に対して再構成できるように第1のメッセージを受信した後にユーザー装置に対して二次基地局に対応するリソースの再構成を開始する。
【０１２３】
適宜、第1のメッセージを、一次基地局によって受信するステップは、ユーザー装置から第1のメッセージを、一次基地局によって受信するステップを含み、ユーザー装置に対する二次基地局に対応するリソースの再構成を、一次基地局によって開始するステップは、リソース再構成情報をユーザー装置に、一次基地局によって送信するステップであって、リソース再構成情報は、ユーザー装置に対して再構成され、二次基地局に対応するリソースに関する情報である、ステップを含む。この実施形態を使用することによって、一次基地局は、ユーザー装置に対して二次基地局に対応するリソースを再構成する。
【０１２４】
好ましくは、リソース再構成情報は、ユーザー装置に割り当てられ、二次基地局に対応するプリアンブルシーケンス番号および物理ランダムアクセスチャネルシーケンス番号を含む。一次基地局は、プリアンブルシーケンス番号および物理ランダムアクセスチャネルシーケンス番号をユーザー装置に送信し、ユーザー装置は、プリアンブルシーケンス番号および物理ランダムアクセスチャネルシーケンス番号に従ってランダムアクセス要求メッセージを二次基地局に送信する。
【０１２５】
従来技術において、再構成時に競合ベースのランダムアクセスプロセスが使用される。このプロセスは、比較的長い遅延時間を有し、衝突により容易に失敗し、それによって、アップリンクデータの送信が遅延し、ユーザーエクスペリエンスが妨げられる。この実施形態を使用することによって、一次基地局または二次基地局は、プリアンブルシーケンス番号および物理ランダムアクセスチャネルシーケンス番号をユーザー装置に送信し、これにより、ユーザー装置は、非競合ベースのランダムアクセス方式で二次基地局にアクセスすることができる。このようにして、アクセス遅延が短縮され、アップリンクデータは二次基地局に迅速に送信され、これによってユーザーエクスペリエンスが改善され得る。
【０１２６】
好ましくは、リソース再構成情報は、二次基地局に対応する、ユーザー装置に対するタイミングアドバンス情報および/またはアップリンクグラントを含み、リソース再構成情報をユーザー装置に、一次基地局によって送信するステップは、タイミングアドバンス情報および/またはアップリンクグラントをユーザー装置に、一次基地局によって送信するステップを含む。この実施形態を使用することによって、一次基地局は、タイミングアドバンス情報および/またはアップリンクグラントをユーザー装置に直接送信し、ユーザー装置は、ランダムアクセスプロセスを用いてタイミングアドバンス情報を取得しなくてよい。このようにして、遅延が短縮され、アップリンクデータは二次基地局に迅速に送信され、これによってユーザーエクスペリエンスが改善され得る。
【０１２７】
適宜、リソース再構成情報をユーザー装置に、一次基地局によって送信するステップの前に、一次基地局は、ユーザー装置に対して前述のリソース再構成情報を決定する。
【０１２８】
好ましくは、第1のメッセージを、一次基地局によって受信するステップは、ユーザー装置から第1のメッセージを、一次基地局によって受信するステップを含み、ユーザー装置に対する二次基地局に対応するリソースの再構成を、一次基地局によって開始するステップは、第2のメッセージを二次基地局に、一次基地局によって送信し、これにより二次基地局が二次基地局に対応するリソース再構成情報をユーザー装置に送信する、ステップを含む。
【０１２９】
適宜、一次基地局は、第2のメッセージを二次基地局に送信して、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求し、次いで、ユーザー装置は、プリアンブルシーケンス番号および物理ランダムアクセスチャネルシーケンス番号に従ってランダムアクセス要求メッセージを二次基地局に送信することができる。
【０１３０】
従来技術において、再構成時に競合ベースのランダムアクセスプロセスが使用される。このプロセスは、比較的長い遅延時間を有し、衝突により容易に失敗し、それによって、アップリンクデータの送信が遅延し、ユーザーエクスペリエンスが妨げられる。この実施形態を使用することによって、一次基地局または二次基地局は、プリアンブルシーケンス番号および物理ランダムアクセスチャネルシーケンス番号をユーザー装置に送信し、これにより、ユーザー装置は、非競合ベースのランダムアクセス方式で二次基地局にアクセスすることができる。このようにして、アクセス遅延が短縮され、アップリンクデータは二次基地局に迅速に送信され、これによってユーザーエクスペリエンスが改善され得る。
【０１３１】
好ましくは、一次基地局は、第2のメッセージを二次基地局に送信し、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む。この実施形態を使用することによって、二次基地局は、タイミングアドバンス情報および/またはアップリンクグラントをユーザー装置に直接送信し、ユーザー装置は、ランダムアクセスプロセスを用いてタイミングアドバンス情報を取得しなくてよい。このようにして、遅延が短縮され、アップリンクデータは二次基地局に迅速に送信され、これによってユーザーエクスペリエンスが改善され得る。
【０１３２】
適宜、第2のメッセージは、ユーザー装置の識別子、ユーザー装置によって再構成されたリソースであることを要求される二次基地局のセル識別子、および再構成を要求する理由のうちの少なくとも1つの情報を含む。
【０１３３】
好ましくは、第1のメッセージを、一次基地局によって受信するステップは、二次基地局によって送信された第1のメッセージを、一次基地局によって受信するステップを含む。
【０１３４】
適宜、第1のメッセージは、ユーザー装置によって送信されたランダムアクセス要求メッセージを二次基地局が受信した後に送信されるか、または第1のメッセージは、二次基地局に対応する、ユーザー装置のTATがタイムアウトになったことを二次基地局が検出した後に送信される。
【０１３５】
適宜、一次基地局は、二次基地局によって送信され、ユーザー装置に対して構成され、二次基地局に対応するアップリンクリソース構成情報を受信し、ユーザー装置に対する二次基地局に対応するリソースの再構成を、一次基地局によって開始するステップは、受信されたアップリンクリソース構成情報をユーザー装置に、一次基地局によって送信するステップを含む。
【０１３６】
好ましくは、ユーザー装置に対する二次基地局に対応するリソースの再構成を、一次基地局によって開始するステップは、二次基地局に対応するアップリンクリソース構成情報をユーザー装置に一次基地局によって送信するステップを含む。
【０１３７】
適宜、アップリンクリソース構成情報は、スケジューリング要求構成情報、サウンディング基準信号構成情報、およびチャネル品質インジケータ報告構成情報のうちの少なくとも1つを含む。
【０１３８】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０１３９】
好ましくは、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０１４０】
図2は、本発明の一実施形態による別のリソース再構成方法の流れ図である。図2に示されているように、この方法は、以下のステップを含む。
【０１４１】
ステップ201:ユーザー装置は、二次基地局に対応するリソースが再構成される必要があることを決定する。
【０１４２】
ステップ202:ユーザー装置は、第1のメッセージを一次基地局に送信し、これにより一次基地局がユーザー装置に対する二次基地局に対応するリソースの再構成を開始する。
【０１４３】
従来技術における実際のネットワーク展開において、一次基地局のみが再構成機能を備える場合があり、二次基地局は、再構成機能を備えていないことがある。この実施形態を使用することによって、一次基地局は、第1のメッセージを受信した後に、ユーザー装置に対する二次基地局に対応するリソースの再構成を開始する。このようにして、二次基地局が再構成機能を備えていない場合に、二次基地局に対応するリソースをユーザー装置に対して再構成することができる。
【０１４４】
好ましくは、ユーザー装置が第1のメッセージを一次基地局に送信した後に、ユーザー装置は、一次基地局によって送信されたリソース再構成情報を受信し、リソース再構成情報は、ユーザー装置に対して再構成され、二次基地局に対応するリソースに関する情報である。この実施形態を使用することによって、一次基地局は、ユーザー装置に対して二次基地局に対応するリソースを再構成する。
【０１４５】
適宜、リソース再構成情報は、ユーザー装置に割り当てられ、二次基地局に対応するプリアンブルシーケンス番号および物理ランダムアクセスチャネルシーケンス番号を含み、一次基地局によって送信されたリソース再構成情報を受信するステップの後に、ユーザー装置は、プリアンブルシーケンス番号および物理ランダムアクセスチャネルシーケンス番号に従ってランダムアクセス要求メッセージを二次基地局に送信する。
【０１４６】
適宜、リソース再構成情報は、二次基地局に対応する、ユーザー装置に対するタイミングアドバンス情報および/またはアップリンクグラントを含み、一次基地局によって送信されたリソース再構成情報を受信するステップの後に、ユーザー装置は、タイミングアドバンス情報および/またはアップリンクグラントを使用することによってアップリンク信号を二次基地局に送信する。
【０１４７】
好ましくは、リソース再構成情報は、ユーザー装置に対して一次基地局によって決定される。
【０１４８】
適宜、ユーザー装置が第1のメッセージを一次基地局に送信した後に、ユーザー装置は、二次基地局によって送信され、二次基地局に対応するリソース再構成情報を受信し、リソース再構成情報は、一次基地局によって送信された第2のメッセージを二次基地局が受信した後に送信される。
【０１４９】
好ましくは、リソース再構成情報は、ユーザー装置に割り当てられ、二次基地局に対応するプリアンブルシーケンス番号および物理ランダムアクセスチャネルシーケンス番号を含み、二次基地局によって送信されたリソース再構成情報を受信するステップの後に、ユーザー装置は、プリアンブルシーケンス番号および物理ランダムアクセスチャネルシーケンス番号に従ってランダムアクセス要求メッセージを二次基地局に送信する。
【０１５０】
好ましくは、リソース再構成情報は、二次基地局に対応する、ユーザー装置に対するタイミングアドバンス情報および/またはアップリンクグラントを含み、二次基地局によって送信されたリソース再構成情報を受信するステップの後に、ユーザー装置は、タイミングアドバンス情報および/またはアップリンクグラントを使用することによってアップリンク信号を二次基地局に送信する。
【０１５１】
適宜、第2のメッセージは、ユーザー装置の識別子、ユーザー装置によって再構成されたリソースであることを要求される二次基地局のセル識別子、および再構成を要求する理由のうちの少なくとも1つの情報を含む。
【０１５２】
好ましくは、ユーザー装置が第1のメッセージを一次基地局に送信した後に、ユーザー装置は、一次基地局によって送信され、二次基地局に対応するアップリンクリソース構成情報を受信する。
【０１５３】
好ましくは、アップリンクリソース構成情報は、スケジューリング要求構成情報、サウンディング基準信号構成情報、およびチャネル品質インジケータ報告構成情報のうちの少なくとも1つを含む。
【０１５４】
適宜、第1のメッセージは、ユーザー装置の識別子、ユーザー装置によって再構成されたリソースであることを要求される二次基地局のセル識別子、および再構成を要求する理由のうちの少なくとも1つの情報を含む。
【０１５５】
好ましくは、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０１５６】
図3は、本発明の一実施形態によるさらに別のリソース再構成方法の流れ図である。図3に示されているように、この方法は、以下のステップを含む。
【０１５７】
ステップ301:二次基地局は、二次基地局に対応するリソースがユーザー装置に対して再構成される必要があることを決定する。
【０１５８】
ステップ302:二次基地局は、第1のメッセージを一次基地局に送信し、これにより一次基地局がユーザー装置に対する二次基地局に対応するリソースの再構成を開始する。
【０１５９】
従来技術における実際のネットワーク展開において、一次基地局のみが再構成機能を備える場合があり、二次基地局は、再構成機能を備えていないことがある。この実施形態を使用することによって、二次基地局は、第1のメッセージを一次基地局に送信し、これにより一次基地局がユーザー装置に対する二次基地局に対応するリソースの再構成を開始する。このようにして、二次基地局が再構成機能を備えていない場合に、二次基地局に対応するリソースをユーザー装置に対して再構成することができる。
【０１６０】
好ましくは、二次基地局に対応するリソースがユーザー装置に対して再構成される必要があることを、二次基地局よって決定するステップは、ユーザー装置によって送信されたランダムアクセス要求メッセージを、二次基地局によって受信するステップ、または二次基地局に対応する、ユーザー装置のTATがタイムアウトになったことを、二次基地局によって検出するステップを含み得る。
【０１６１】
好ましくは、二次基地局は、ユーザー装置に対して構成され、二次基地局に対応するアップリンクリソース構成情報を一次基地局にさらに送信することができ、これにより一次基地局がアップリンクリソース構成情報をユーザー装置に送信する。
【０１６２】
この実施形態を使用することによって、二次基地局は、ユーザー装置に対して二次基地局によって構成されたアップリンクリソース構成情報を、一次基地局を使用することによって、ユーザー装置に送信する。二次基地局では、二次基地局のリソース構成に関してよく知っているので、この実施形態における構成は、実際の状況に十分に適合し得る。
【０１６３】
好ましくは、アップリンクリソース構成情報は、スケジューリング要求構成情報、サウンディング基準信号構成情報、およびチャネル品質インジケータ報告構成情報のうちの少なくとも1つを含む。
【０１６４】
適宜、第1のメッセージは、ユーザー装置の識別子、ユーザー装置によって再構成されたリソースであることを要求される二次基地局のセル識別子、および再構成を要求する理由のうちの少なくとも1つの情報を含む。
【０１６５】
適宜、再構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０１６６】
以下では、添付図面を参照しつつ本発明の実施形態の実装プロセスを説明する。
【０１６７】
実施形態1
この実施形態では、リソース再構成方法を提供する。図4に示されているように、この方法は、以下のステップを含む。
【０１６８】
ステップ401:UEが、二次基地局のTATがタイムアウトになるか、またはUEのSR失敗が二次基地局において発生するか、またはUEに、SRを二次基地局に送信するPUCCHリソースがないことを検出した場合に、UEは、第1のメッセージを一次基地局に送信して、一次基地局に再構成を実行することを要求し、第1のメッセージは、失敗識別子(再構成されたリソースであるようにユーザー装置によって要求された二次基地局のセル識別子)を含むものとしてよく、この情報は、タイムアウトになるTATに対応するTAグループの識別子、タイムアウトになるTATに対応するセルの識別子、SR失敗に対応するセルの識別子、またはSRを送信するためのPUCCHリソースを有していない対応するセルの識別子であるものとしてよい。
【０１６９】
適宜、第1のメッセージは、要求を行う理由(再構成を要求する理由)を含むものとしてよく、要求を行う理由は、TATがタイムアウトしたこと、SRが失敗したこと、SRを送信するために利用可能なPUCCHリソースがないこと、またはアップリンクデータが到着したことを示し得る。要求を行う理由が、アップデータリンクが到着したことを示している場合、一次基地局は、一次基地局または二次基地局によって維持されているTATおよび/または一次基地局のリソース割り当て情報に従って、TATがUE側でタイムアウトしたか、またはUE側にSRを送信するために利用可能なPUCCHリソースがないかを決定することができる。
【０１７０】
ステップ402:一次基地局は、プリアンブル(Preamble)シーケンス番号および物理ランダムアクセスチャネル(Physical Random Access Channel、略してPRACH)シーケンス番号をUEに割り当て、割り当てられたPreambleシーケンス番号およびPRACHシーケンス番号を、再構成メッセージを使用することによってUEに送信する。
【０１７１】
適宜、一次基地局は、UEに割り当てられ、二次基地局に対応するアップリンクリソース構成情報を、UEに送信することもでき、これにより、UEは、その情報に従って二次基地局のアップリンクリソースを使用する。アップリンクリソース構成情報は、SR構成情報、サウンディング基準信号構成情報、およびCQI報告構成情報のうちの少なくとも1つを含み得る。
【０１７２】
一次基地局が、UEに割り当てられ、二次基地局に対応するアップリンクリソース構成情報を、UEに送信する場合に、基地局は、同じメッセージを使用することによって、Preambleシーケンス番号、PRACHシーケンス番号、およびアップリンクリソース構成情報を送信することができ、また一方のメッセージを使用することによって、Preambleシーケンス番号およびPRACHシーケンス番号を送信し、別のメッセージを使用することによって、アップリンクリソース構成情報を送信することができることに留意されたい。
【０１７３】
ステップ403:UEは、割り当てられたPreambleシーケンス番号およびPRACHシーケンス番号を使用することによって非競合ベースのランダムアクセスプロセスを開始し、そのランダムアクセスプロセスを用いて二次基地局から更新されたTAおよびアップリンクグラント(Uplink Grant)を取得する。
【０１７４】
一次基地局が、UEに割り当てられ、二次基地局に対応するアップリンクリソース構成情報を、UEに送信する場合、UEは、アップリンクリソースを使用することによって、信号を、アップリンクリソース構成情報、更新されたTA、およびアップリンクグラントに従って、送信することができる。一次基地局が、UEに割り当てられ、二次基地局に対応するアップリンクリソース構成情報を、UEに送信しない場合、UEは、アップリンクリソースを使用することによって、信号を、更新されたTA、アップリンクグラント、およびUEに格納されているアップリンクリソース構成情報を使用することによって、送信することができる。UEに格納されているアップリンクリソース構成情報は、基地局によってUEにすでに割り当てられており、TATがタイムアウトするか、またはSR失敗が発生した後にUEによって削除されていない、アップリンクリソース構成情報であってよい。
【０１７５】
実施形態2
この実施形態では、リソース再構成方法を提供する。図5に示されているように、この方法は、以下のステップを含む。
【０１７６】
ステップ501:UEが、二次基地局のTATがタイムアウトになるか、またはUEのSR失敗が二次基地局において発生するか、またはUEに、SRを二次基地局に送信するPUCCHリソースがないことを検出した場合に、UEは、第1のメッセージを一次基地局に送信して、一次基地局に再構成を実行することを要求し、第1のメッセージは、失敗識別子(再構成されたリソースであるようにユーザー装置によって要求された二次基地局のセル識別子)を含むものとしてよく、この情報は、タイムアウトになるTATに対応するTAグループの識別子、タイムアウトになるTATに対応するセルの識別子、SR失敗に対応するセルの識別子、またはSRを送信するためのPUCCHリソースを有していない対応するセルの識別子であるものとしてよい。
【０１７７】
適宜、第1のメッセージは、要求を行う理由(再構成を要求する理由)を含むものとしてよく、要求を行う理由は、TATがタイムアウトしたこと、SRが失敗したこと、SRを送信するために利用可能なPUCCHリソースがないこと、またはアップリンクデータが到着したことを示し得る。
【０１７８】
ステップ502:一次基地局は、再構成メッセージをUEに送信し、再構成メッセージは、アップリンクリソース構成情報、二次基地局のTAの絶対値または相対値、およびアップリンクグラントのうちの少なくとも1つの種類を含み、アップリンクリソース構成情報の内容は、実施形態1のアップリンクリソース構成情報の内容を含む。
【０１７９】
前述の3種類の情報のうち2種類の情報が同時に存在する場合に、2種類の情報が、1つのメッセージを使用することによって同時に送信され、また2つのメッセージを使用することによって別々に送信されるものとしてよく、前述の3種類の情報が同時に存在する場合に、3種類の情報が、1つのメッセージを使用することによって同時に送信され、2つのメッセージを使用することによって別々に送信され、また3つのメッセージを使用することによって別々に送信されるものとしてよいことに留意されたい。
【０１８０】
一次基地局によってUEに送信された情報が、アップリンクリソース構成情報、二次基地局のTAの絶対値または相対値、およびアップリンクグラントを含む場合、UEは、二次基地局のTAの絶対値または相対値に従って二次基地局のTAを取得し、二次基地局のアップリンクリソースを使用することによって、信号を、アップリンクリソース構成情報、二次基地局のTA、およびアップリンクグラントに従って、送信する。一次基地局によってUEに送信された情報が、二次基地局のTAの絶対値または相対値を含まない場合、UEは、TAを、別の方法で、例えば、UEによってすでに使用されているTAを使用して、取得するか、またはTAを、競合ベースのランダムアクセスプロセスもしくは非競合ベースのランダムアクセスプロセスを用いて取得することができ、次いで、二次基地局のアップリンクリソースを使用することによって、信号を、取得されたTAに従って送信する。一次基地局によってUEに送信された情報が、アップリンクリソース構成情報を含まない場合、UEは、アップリンクリソース構成情報を、別の方法で、例えば、UEによってすでに使用されているアップリンクリソース構成情報を使用して、取得することができ、次いで、二次基地局のアップリンクリソースを使用することによって、信号を、取得されたアップリンクリソース構成情報に従って送信する。一次基地局によってUEに送信された情報が、アップリンクグラントを含まない場合、UEは、アップリンクグラントを、別の方法で、例えば、二次基地局への競合ベースのランダムアクセスプロセスまたは非競合ベースのランダムアクセスプロセスを開始することによってアップリンクグラントを取得するか、またはSRを二次基地局に送信することによってアップリンクグラントに対する申請を行う形で、取得することができ、次いで、二次基地局のアップリンクリソースを使用することによって、信号を、取得されたアップリンクグラントに従って送信する。
【０１８１】
実施形態3
この実施形態では、リソース再構成方法を提供する。図6に示されているように、この方法は、以下のステップを含む。
【０１８２】
ステップ601:UEが、二次基地局のTATがタイムアウトになるか、またはUEのSR失敗が二次基地局において発生するか、またはUEに、SRを二次基地局に送信するPUCCHリソースがないことを検出した場合に、UEは、第1のメッセージを一次基地局に送信して、一次基地局に再構成を実行することを要求し、第1のメッセージは、失敗識別子(再構成されたリソースであるようにユーザー装置によって要求された二次基地局のセル識別子)を含むものとしてよく、この情報は、タイムアウトになるTATに対応するTAグループの識別子、タイムアウトになるTATに対応するセルの識別子、SR失敗に対応するセルの識別子、またはSRを送信するためのPUCCHリソースを有していない対応するセルの識別子であるものとしてよい。
【０１８３】
適宜、第1のメッセージは、要求を行う理由(再構成を要求する理由)を含むものとしてよく、要求を行う理由は、TATがタイムアウトしたこと、SRが失敗したこと、SRを送信するために利用可能なPUCCHリソースがないこと、またはアップリンクデータが到着したことを示し得る。
【０１８４】
ステップ602:一次基地局は、第1の再構成メッセージをUEに送信し、第1の再構成メッセージは、アップリンクリソース構成を含み、これにより、UEは、その情報に従って二次基地局のアップリンクリソースを使用し、アップリンクリソース構成情報の内容は、実施形態1のアップリンクリソース構成情報の内容を含む。
【０１８５】
ステップ603:一次基地局は、第2のメッセージを二次基地局に送信し、第2のメッセージは、UEの識別子を含む。
【０１８６】
適宜、第2のメッセージは、失敗識別子および要求を行う理由のうちの少なくとも一方も含み得る。
【０１８７】
ステップ604:二次基地局は、第3のメッセージをUEに送信し、第3のメッセージは、二次基地局のTAの絶対値または相対値、およびアップリンクグラントのうちの少なくとも1つの種類を含み、これにより、UEは、その情報に従って二次基地局のTA、および/またはアップリンクグラントを取得する。
【０１８８】
ステップ602およびステップ603を実行するシーケンスは、制限されないことに留意されたい。ステップ602はステップ603の前に実行される可能性があり、ステップ603はステップ602の前に実行される可能性もあり、ステップ602およびステップ603が同時に実行される可能性もさらにある。
【０１８９】
好ましくは、ステップ603およびステップ604も、この実施形態に含まれる可能性がなく、この場合、UEは、TAを予め知っている。この実施形態は、UEのSR失敗が二次基地局において発生した場合、またはUEに、SRを二次基地局に送信するためのPUCCHリソースがない場合に適用可能である。
【０１９０】
好ましくは、この実施形態では、ステップ602も含まれ得ず、ステップ603およびステップ604は、ステップ601の後に直接実行される。この場合、UEは、すでに使用されているアップリンクリソース構成情報を使用することができる。この実施形態は、UEが、二次基地局に対するTATがタイムアウトになることを検出する場合、UEのSR失敗が二次基地局において発生した場合、およびUEに、SRを二次基地局に送信するPUCCHリソースがない場合のそれぞれに適用可能である。
【０１９１】
実施形態4
この実施形態では、リソース再構成方法を提供する。図7に示されているように、この方法は、以下のステップを含む。
【０１９２】
ステップ701:UEが、二次基地局のTATがタイムアウトになるか、またはUEのSR失敗が二次基地局において発生するか、またはUEに、SRを二次基地局に送信するPUCCHリソースがないことを検出した場合に、UEは、第1のメッセージを一次基地局に送信して、一次基地局に再構成を実行することを要求し、第1のメッセージは、失敗識別子(再構成されたリソースであるようにユーザー装置によって要求された二次基地局のセル識別子)を含むものとしてよく、この情報は、タイムアウトになるTATに対応するTAグループの識別子、タイムアウトになるTATに対応するセルの識別子、SR失敗に対応するセルの識別子、またはSRを送信するためのPUCCHリソースを有していない対応するセルの識別子であるものとしてよい。
【０１９３】
適宜、第1のメッセージは、要求を行う理由(再構成を要求する理由)を含むものとしてよく、要求を行う理由は、TATがタイムアウトしたこと、SRが失敗したこと、SRを送信するために利用可能なPUCCHリソースがないこと、またはアップリンクデータが到着したことを示し得る。
【０１９４】
ステップ702:一次基地局は、第1の再構成メッセージをUEに送信し、第1の再構成メッセージは、アップリンクリソース構成情報を含むものとしてよく、これにより、UEは、その情報に従って二次基地局のアップリンクリソースを使用し、アップリンクリソース構成情報の内容は、実施形態1のアップリンクリソース構成情報の内容を含む。
【０１９５】
ステップ703:一次基地局は、第2のメッセージを二次基地局に送信し、第2のメッセージは、UEの識別子を含むものとしてよい。
【０１９６】
適宜、第2のメッセージは、失敗識別子および要求を行う理由のうちの少なくとも一方を含み得る。
【０１９７】
ステップ704:二次基地局は、ランダムアクセスリソース割り当てメッセージをUEに送信し、ランダムアクセスリソース割り当てメッセージは、Preambleシーケンス番号およびPRACHシーケンス番号を含む。
【０１９８】
ステップ705:UEは、受信されたPreambleシーケンス番号およびPRACHシーケンス番号を使用することによって二次基地局への非競合ベースのランダムアクセスプロセスを開始し、UEは、そのプロセスを用いて二次基地局から更新されたTAおよびアップリンクグラントを取得する。
【０１９９】
好ましくは、この実施形態では、ステップ702も含まれ得ず、ステップ703、ステップ704、およびステップ705は、ステップ701の後に直接実行される。この場合、UEは、すでに使用されているアップリンクリソース構成情報を使用することができる。この実施形態は、UEが、二次基地局に対するTATがタイムアウトになることを検出する場合、UEのSR失敗が二次基地局において発生した場合、およびUEに、SRを二次基地局に送信するPUCCHリソースがない場合のそれぞれに適用可能である。
【０２００】
ステップ702およびステップ703を実行するシーケンスは、制限されないことに留意されたい。ステップ702はステップ703の前に実行される可能性があり、ステップ703はステップ702の前に実行される可能性もあり、ステップ702およびステップ703が同時に実行される可能性もさらにある。
【０２０１】
実施形態5
この実施形態では、リソース再構成方法を提供する。図8に示されているように、この方法は、以下のステップを含む。
【０２０２】
ステップ801:UEが、二次基地局のTATがタイムアウトになるか、またはUEのSR失敗が二次基地局において発生するか、またはUEに、SRを二次基地局に送信するPUCCHリソースがないことを検出した場合に、UEは、二次基地局への競合ベースのランダムアクセスプロセスを開始し、UEは、このプロセスを用いて二次基地局の更新されたTAおよびアップリンクグラントを取得する。
【０２０３】
ステップ802:二次基地局は、第1のメッセージを一次基地局に送信し、第1のメッセージは、UEの識別子および失敗識別子(再構成されたリソースであるようにユーザー装置によって要求された二次基地局のセル識別子)を含み、失敗識別子は、タイムアウトになるTATに対応するTAグループの識別子、タイムアウトになるTATに対応するセルの識別子、SR失敗に対応するセルの識別子、またはSRを送信するためのPUCCHリソースを有していない対応するセルの識別子であるものとしてよい。
【０２０４】
適宜、第1のメッセージは、要求を行う理由(再構成を要求する理由)であって、TATがタイムアウトしたこと、SRが失敗したこと、SRを送信するために利用可能なPUCCHリソースがないこと、またはデータが到着したことを示し得る、理由、およびアップリンクリソース構成情報であって、アップリンクリソース構成情報の内容は実施形態1のアップリンクリソース構成情報の内容を含む、アップリンクリソース構成情報のうちの少なくとも一方も含み得る。
【０２０５】
ステップ803:一次基地局は、再構成メッセージをUEに送信し、再構成メッセージは、アップリンクリソース構成情報を含み、これにより、UEは、その情報に従って二次基地局のアップリンクリソースを使用する。
【０２０６】
ステップ802における第1のメッセージが、アップリンクリソース構成情報を含む場合、再構成メッセージに入っているアップリンクリソース構成は、ステップ802におけるアップリンクリソース構成情報である。
【０２０７】
ステップ802における第1のメッセージが、アップリンクリソース構成情報を含まない場合、再構成メッセージに入っているアップリンクリソース構成情報は、一次基地局によって決定される。
【０２０８】
この実施形態では、二次基地局は、UEによって送信されたランダムアクセス要求メッセージを受信した後にステップ802を実行し、ランダムアクセスプロセスで別のメッセージを受信し、ステップ802を実行するシーケンスは制限されないことに留意されたい。別の実施形態において、ステップ801は、実行され得ず、二次基地局は、二次基地局に対応する、UEのTATがタイムアウトになったことが決定される場合にステップ802を実行することができる。この実施形態は、二次基地局がUEに送信されるダウンリンクデータを有している場合に対して適用可能である。
【０２０９】
この実施形態では、ステップ803におけるUEは、ステップ802においてUE識別子によって識別されたUEであることに留意されたい。別の実施形態において、ステップ803におけるUEは、一次基地局によって決定されたUEであってもよく、ステップ802においてUE識別子によって識別されたUEと異なる。この実施形態は、アップリンクデータもダウンリンクデータもUEと二次基地局との間で一時的に送信されない場合に対して適用可能であり、UEにすでに割り当てられ、二次基地局に対応するアップリンクリソースは、別のUEによって割り当てられ、使用され得る。
【０２１０】
本発明の実施形態は、装置実施形態をさらに提供し、装置実施形態における装置は、前述の方法実施形態を実装するように構成され得る。以下では、本発明の実施形態における装置実施形態を詳細に説明する。
【０２１１】
本発明の一実施形態は、基地局を実現し、基地局は、一次基地局として使用され得る。図9に示されているように、基地局は、第1のメッセージを受信するように構成された受信ユニット11であって、第1のメッセージは、二次基地局に対応するリソースをユーザー装置に対して再構成することを要求するために使用される、受信ユニット11と、受信ユニット11に結合され、ユーザー装置に対する二次基地局に対応するリソースの再構成を開始するように構成された、開始ユニット12とを備える。
【０２１２】
好ましくは、図10に示されているように、受信ユニットは、ユーザー装置から第1のメッセージを受信するように構成され、一次基地局は、開始ユニット12に結合された送信ユニット13をさらに備え、開始ユニット12は、送信ユニット13を制御してリソース再構成情報をユーザー装置に送信するように構成され、リソース再構成情報は、ユーザー装置に対して再構成され、二次基地局に対応するリソースに関する情報である。
【０２１３】
適宜、リソース再構成情報は、ユーザー装置に割り当てられ、二次基地局に対応するプリアンブルシーケンス番号および物理ランダムアクセスチャネルシーケンス番号を含み、開始ユニット12は、送信ユニット13を制御してプリアンブルシーケンス番号および物理ランダムアクセスチャネルシーケンス番号をユーザー装置に送信するように構成され、これによりユーザー装置がプリアンブルシーケンス番号および物理ランダムアクセスチャネルシーケンス番号に従ってランダムアクセス要求メッセージを二次基地局に送信するステップを制御する形で制御する。
【０２１４】
適宜、リソース再構成情報は、二次基地局に対応する、ユーザー装置に対するタイミングアドバンス情報および/またはアップリンクグラントを含み、開始ユニット12は、送信ユニット13を制御してタイミングアドバンス情報および/またはアップリンクグラントをユーザー装置に送信するように構成される。
【０２１５】
適宜、一次基地局は、送信ユニット13に結合され、リソース再構成情報を一次基地局がユーザー装置に送信する前にユーザー装置に対してリソース再構成情報を決定するように構成された決定ユニット14をさらに備える。
【０２１６】
好ましくは、受信ユニット11は、ユーザー装置から第1のメッセージを受信するように構成され、一次基地局は、送信ユニット13をさらに備え、開始ユニット12は、送信ユニット13が第2のメッセージを二次基地局に送信するステップを制御するように構成され、これにより二次基地局が二次基地局に対応するリソース再構成情報をユーザー装置に送信する。
【０２１７】
好ましくは、開始ユニット12は、送信ユニット13が第2のメッセージを二次基地局に送信するステップを制御するように構成され、第2のメッセージは、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求するために使用され、これによりユーザー装置がプリアンブルシーケンス番号および物理ランダムアクセスチャネルシーケンス番号に従ってランダムアクセス要求メッセージを二次基地局に送信する。
【０２１８】
適宜、開始ユニット12は、送信ユニット13が第2のメッセージを二次基地局に送信するステップを制御するように構成され、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む。
【０２１９】
好ましくは、第2のメッセージは、ユーザー装置の識別子、ユーザー装置によって再構成されたリソースであることを要求される二次基地局のセル識別子、および再構成を要求する理由のうちの少なくとも1つの情報を含む。
【０２２０】
適宜、受信ユニット11は、二次基地局によって送信された第1のメッセージを受信するように構成される。
【０２２１】
好ましくは、第1のメッセージは、ユーザー装置によって送信されたランダムアクセス要求メッセージを二次基地局が受信した後に送信されるか、または第1のメッセージは、二次基地局に対応する、ユーザー装置のタイミングアドバンスタイマーTATがタイムアウトになったことを二次基地局が検出した後に送信される。
【０２２２】
適宜、受信ユニット11は、二次基地局によって送信され、ユーザー装置に対して構成され、二次基地局に対応するアップリンクリソース構成情報を受信するようにさらに構成され、一次基地局は、送信ユニット13をさらに備え、開始ユニット12は、送信ユニット13を制御してアップリンクリソース構成情報をユーザー装置に送信するように構成される。
【０２２３】
適宜、一次基地局は、送信ユニット13をさらに備え、開始ユニット12は、送信ユニット13を制御して二次基地局に対応するアップリンクリソース構成情報をユーザー装置に送信するように構成される。
【０２２４】
好ましくは、アップリンクリソース構成情報は、スケジューリング要求構成情報、サウンディング基準信号構成情報、およびチャネル品質インジケータ報告構成情報のうちの少なくとも1つを含む。
【０２２５】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０２２６】
適宜、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２２７】
本発明の一実施形態は、ユーザー装置をさらに実現する。図11に示されているように、ユーザー装置は、二次基地局に対応するリソースが再構成される必要があることを決定するように構成された決定ユニット21と、決定ユニット21に結合され、第1のメッセージを一次基地局に送信するように構成された送信ユニット22とを備え、これにより一次基地局がユーザー装置に対する二次基地局に対応するリソースの再構成を開始する。
【０２２８】
好ましくは、図12に示されているように、ユーザー装置は、第1のメッセージが一次基地局に送信された後に、一次基地局によって送信されたリソース再構成情報を受信するように構成された受信ユニット23をさらに備え、リソース再構成情報は、ユーザー装置に対して再構成され、二次基地局に対応するリソースに関する情報である。
【０２２９】
好ましくは、リソース再構成情報は、ユーザー装置に割り当てられ、二次基地局に対応するプリアンブルシーケンス番号および物理ランダムアクセスチャネルシーケンス番号を含み、送信ユニット22は、一次基地局によって送信されたリソース再構成情報が受信された後に、プリアンブルシーケンス番号および物理ランダムアクセスチャネルシーケンス番号に従ってランダムアクセス要求メッセージを二次基地局に送信するようにさらに構成される。
【０２３０】
適宜、リソース再構成情報は、二次基地局に対応する、ユーザー装置に対するタイミングアドバンス情報および/またはアップリンクグラントを含み、送信ユニット22は、一次基地局によって送信されたリソース再構成情報が受信された後に、タイミングアドバンス情報および/またはアップリンクグラントを使用することによってアップリンク信号を二次基地局に送信するようにさらに構成される。
【０２３１】
好ましくは、リソース再構成情報は、ユーザー装置に対して一次基地局によって決定される。
【０２３２】
適宜、ユーザー装置は、ユーザー装置が第1のメッセージを一次基地局に送信した後に、二次基地局によって送信され、二次基地局に対応するリソース再構成情報を受信するように構成された受信ユニット23をさらに備え、リソース再構成情報は、一次基地局によって送信された第2のメッセージを二次基地局が受信した後に送信される。
【０２３３】
好ましくは、リソース再構成情報は、ユーザー装置に割り当てられ、二次基地局に対応するプリアンブルシーケンス番号および物理ランダムアクセスチャネルシーケンス番号を含み、送信ユニット22は、二次基地局によって送信されたリソース再構成情報が受信された後に、プリアンブルシーケンス番号および物理ランダムアクセスチャネルシーケンス番号に従ってランダムアクセス要求メッセージを二次基地局に送信するように構成される。
【０２３４】
適宜、リソース再構成情報は、二次基地局に対応する、ユーザー装置に対するタイミングアドバンス情報および/またはアップリンクグラントを含み、送信ユニット22は、二次基地局によって送信されたリソース再構成情報が受信された後に、タイミングアドバンス情報および/またはアップリンクグラントを使用することによってアップリンク信号を二次基地局に送信するように構成される。
【０２３５】
適宜、第2のメッセージは、ユーザー装置の識別子、ユーザー装置によって再構成されたリソースであることを要求される二次基地局のセル識別子、および再構成を要求する理由のうちの少なくとも1つの情報を含む。
【０２３６】
好ましくは、ユーザー装置は、ユーザー装置が第1のメッセージを一次基地局に送信した後に、一次基地局によって送信され、二次基地局に対応するアップリンクリソース構成情報を受信するように構成された受信ユニット23をさらに備える。
【０２３７】
適宜、アップリンクリソース構成情報は、スケジューリング要求構成情報、サウンディング基準信号構成情報、およびチャネル品質インジケータ報告構成情報のうちの少なくとも1つを含む。
【０２３８】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０２３９】
好ましくは、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２４０】
本発明の一実施形態は、基地局をさらに実現し、この基地局は、二次基地局として使用されるものとしてよい。図13に示されているように、この基地局は、二次基地局に対応するリソースがユーザー装置に対して再構成される必要があることを決定するように構成された決定ユニット31と、決定ユニット31に結合され、第1のメッセージを一次基地局に送信するように構成された送信ユニット32とを備え、これにより一次基地局がユーザー装置に対する二次基地局に対応するリソースの再構成を開始する。
【０２４１】
好ましくは、図14に示されているように、二次基地局は、受信ユニット33を備え、ユーザー装置によって送信されたランダムアクセス要求メッセージを受信ユニット33が受信する場合に、決定ユニット31が、ユーザー装置に対する二次基地局に対応するリソースの再構成を決定するか、または二次基地局に対応する、ユーザー装置のタイミングアドバンスタイマーTATがタイムアウトになったことが検出された場合に、決定ユニット31が、ユーザー装置に対する二次基地局に対応するリソースの再構成を決定する。
【０２４２】
好ましくは、送信ユニット32は、二次基地局に対応するリソースがユーザー装置に対して再構成される必要があると決定された後に、ユーザー装置に対して構成され、二次基地局に対応するアップリンクリソース構成情報を一次基地局に送信し、これにより一次基地局がアップリンクリソース構成情報をユーザー装置に送信する、ように構成される。
【０２４３】
適宜、アップリンクリソース構成情報は、スケジューリング要求構成情報、サウンディング基準信号構成情報、およびチャネル品質インジケータ報告構成情報のうちの少なくとも1つを含む。
【０２４４】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０２４５】
好ましくは、再構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２４６】
本発明の一実施形態は、基地局をさらに実現し、この基地局は、一次基地局として使用され得る。図15に示されているように、この基地局は、信号の送受信を行うように構成されたトランシーバ41と、トランシーバ41に結合されたプロセッサ42であって、第1のメッセージをトランシーバが受信するステップを制御するステップであって、第1のメッセージは二次基地局に対応するリソースをユーザー装置に対して再構成することを要求するために使用される、ステップと、ユーザー装置に対する二次基地局に対応するリソースの再構成を開始するステップとを実行するように構成されたプロセッサ42とを備える。
【０２４７】
好ましくは、プロセッサ42は、第1のメッセージをトランシーバが受信するステップを、ユーザー装置から第1のメッセージをトランシーバ41が受信するステップを制御する形で制御し、プロセッサ42は、ユーザー装置に対する二次基地局に対応するリソースの再構成を、リソース再構成情報をユーザー装置にトランシーバ41が送信するステップを制御する形で開始し、リソース再構成情報は、ユーザー装置に対して再構成され、二次基地局に対応するリソースに関する情報である。
【０２４８】
適宜、リソース再構成情報は、ユーザー装置に割り当てられ、二次基地局に対応するプリアンブルシーケンス番号および物理ランダムアクセスチャネルシーケンス番号を含み、プロセッサ42は、リソース再構成情報をユーザー装置にトランシーバ41が送信するステップを、プリアンブルシーケンス番号および物理ランダムアクセスチャネルシーケンス番号をトランシーバ41がユーザー装置に送信し、これによりユーザー装置がプリアンブルシーケンス番号および物理ランダムアクセスチャネルシーケンス番号に従ってランダムアクセス要求メッセージを二次基地局に送信するステップを制御する形で制御する。
【０２４９】
適宜、リソース再構成情報は、二次基地局に対応する、ユーザー装置に対するタイミングアドバンス情報および/またはアップリンクグラントを含み、プロセッサ42は、リソース再構成情報をユーザー装置にトランシーバ41が送信するステップを、タイミングアドバンス情報および/またはアップリンクグラントをユーザー装置にトランシーバ41が送信するステップを制御する形で制御する。
【０２５０】
好ましくは、プロセッサ42は、リソース再構成情報がユーザー装置に送信される前にユーザー装置に対するリソース再構成情報を決定する。
【０２５１】
好ましくは、プロセッサ42は、第1のメッセージをトランシーバが受信するステップを、ユーザー装置から第1のメッセージをトランシーバ41が受信するステップを制御する形で制御し、プロセッサ42は、ユーザー装置に対する二次基地局に対応するリソースの再構成を、第2のメッセージを二次基地局にトランシーバ41が送信し、これにより二次基地局が二次基地局に対応するリソース再構成情報をユーザー装置に送信するように制御する形で開始する。
【０２５２】
適宜、プロセッサ42は、第2のメッセージを二次基地局にトランシーバ41が送信するステップであって、第2のメッセージが、二次基地局に対応するリソース再構成情報を二次基地局がユーザー装置に送信することをトリガーするために使用される、ステップを以下のように制御する。プロセッサ42は、第2のメッセージを二次基地局にトランシーバ41が送信するステップであって、第2のメッセージは、二次基地局に、プリアンブルシーケンス番号および物理ランダムアクセスチャネルシーケンス番号をユーザー装置に割り当てることと、プリアンブルシーケンス番号および物理ランダムアクセスチャネルシーケンス番号をユーザー装置に送信することとを要求するために使用される、ステップを、ユーザー装置がプリアンブルシーケンス番号および物理ランダムアクセスチャネルシーケンス番号に従ってランダムアクセス要求メッセージを二次基地局に送信するように制御する形で制御する。
【０２５３】
好ましくは、プロセッサ42は、第2のメッセージを二次基地局にトランシーバ41が送信するステップであって、第2のメッセージが、二次基地局に対応するリソース再構成情報を二次基地局がユーザー装置に送信することをトリガーするために使用される、ステップを、以下のように制御し、プロセッサ42は、第2のメッセージを二次基地局にトランシーバが送信するステップであって、第2のメッセージは、二次基地局に、第3のメッセージをユーザー装置に送信することを要求するために使用され、第3のメッセージは、二次基地局に対応する、ユーザー装置に対するタイミングアドバンス情報および/またはアップリンクグラントを含む、ステップを制御する。
【０２５４】
好ましくは、第2のメッセージは、ユーザー装置の識別子、ユーザー装置によって再構成されたリソースであることを要求される二次基地局のセル識別子、および再構成を要求する理由のうちの少なくとも1つの情報を含む。
【０２５５】
適宜、プロセッサ42は、第1のメッセージをトランシーバが受信するステップを、二次基地局によって送信された第1のメッセージをトランシーバ41が受信するステップを制御する形で制御する。
【０２５６】
適宜、第1のメッセージは、ユーザー装置によって送信されたランダムアクセス要求メッセージを二次基地局が受信した後に送信されるか、または第1のメッセージは、二次基地局に対応する、ユーザー装置のタイミングアドバンスタイマーTATがタイムアウトになったことを二次基地局が検出した後に送信される。
【０２５７】
適宜、プロセッサ42は、トランシーバが二次基地局によって送信され、ユーザー装置に対して構成され、二次基地局に対応するアップリンクリソース構成情報を受信するステップを制御し、プロセッサ42は、ユーザー装置に対する二次基地局に対応するリソースの再構成を、アップリンクリソース構成情報をユーザー装置にトランシーバ41が送信するステップを制御する形で開始する。
【０２５８】
好ましくは、プロセッサ42は、ユーザー装置に対する二次基地局に対応するリソースの再構成を、二次基地局に対応するアップリンクリソース構成情報をユーザー装置にトランシーバ41が送信するステップを制御する形で開始する。
【０２５９】
好ましくは、アップリンクリソース構成情報は、スケジューリング要求構成情報、サウンディング基準信号構成情報、およびチャネル品質インジケータ報告構成情報のうちの少なくとも1つを含む。
【０２６０】
適宜、第1のメッセージは、ユーザー装置の識別子、ユーザー装置によって再構成されたリソースであることを要求される二次基地局のセル識別子、および再構成を要求する理由のうちの少なくとも1つの情報を含む。
【０２６１】
好ましくは、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２６２】
本発明の一実施形態は、ユーザー装置を実現する。図16に示されているように、ユーザー装置は、信号の送受信を行うように構成されたトランシーバ51と、トランシーバ51に結合されたプロセッサ52であって、二次基地局に対応するリソースが再構成される必要があると決定するステップと、第1のメッセージを一次基地局にトランシーバが送信し、これにより一次基地局がユーザー装置に対する二次基地局に対応するリソースの再構成を開始する、ステップを制御するステップとを実行するように構成されたプロセッサ52とを備える。
【０２６３】
好ましくは、ユーザー装置が第1のメッセージを一次基地局に送信した後に、プロセッサ52は、一次基地局によって送信されたリソース再構成情報をトランシーバ51が受信するステップであって、リソース再構成情報は、ユーザー装置に対して再構成され、二次基地局に対応するリソースに関する情報である、ステップを制御する。
【０２６４】
好ましくは、リソース再構成情報は、ユーザー装置に割り当てられ、二次基地局に対応するプリアンブルシーケンス番号および物理ランダムアクセスチャネルシーケンス番号を含み、一次基地局によって送信されたリソース再構成情報が受信された後に、プロセッサ52は、トランシーバ51がプリアンブルシーケンス番号および物理ランダムアクセスチャネルシーケンス番号に従ってランダムアクセス要求メッセージを二次基地局に送信するステップを制御する。
【０２６５】
適宜、リソース再構成情報は、二次基地局に対応する、ユーザー装置に対するタイミングアドバンス情報および/またはアップリンクグラントを含み、一次基地局によって送信されたリソース再構成情報が受信された後に、プロセッサ52は、トランシーバ51がタイミングアドバンス情報および/またはアップリンクグラントを使用することによってアップリンク信号を二次基地局に送信するステップを制御する。
【０２６６】
好ましくは、リソース再構成情報は、ユーザー装置に対して一次基地局によって決定される。
【０２６７】
適宜、第1のメッセージが一次基地局に送信された後に、プロセッサ52は、二次基地局によって送信され、二次基地局に対応するリソース再構成情報をトランシーバ51が受信するステップを制御し、リソース再構成情報は、一次基地局によって送信された第2のメッセージを二次基地局が受信した後に送信される。
【０２６８】
好ましくは、リソース再構成情報は、ユーザー装置に割り当てられ、二次基地局に対応するプリアンブルシーケンス番号および物理ランダムアクセスチャネルシーケンス番号を含み、二次基地局によって送信されたリソース再構成情報が受信された後に、プロセッサ52は、トランシーバ51がプリアンブルシーケンス番号および物理ランダムアクセスチャネルシーケンス番号に従ってランダムアクセス要求メッセージを二次基地局に送信するステップを制御する。
【０２６９】
適宜、リソース再構成情報は、二次基地局に対応する、ユーザー装置に対するタイミングアドバンス情報および/またはアップリンクグラントを含み、二次基地局によって送信されたリソース再構成情報が受信された後に、プロセッサ52は、トランシーバ51がタイミングアドバンス情報および/またはアップリンクグラントを使用することによってアップリンク信号を二次基地局に送信するステップを制御する。
【０２７０】
好ましくは、第2のメッセージは、ユーザー装置の識別子、ユーザー装置によって再構成されたリソースであることを要求される二次基地局のセル識別子、および再構成を要求する理由のうちの少なくとも1つの情報を含む。
【０２７１】
好ましくは、第1のメッセージが一次基地局に送信された後に、プロセッサ52は、トランシーバ51が、一次基地局によって送信され、二次基地局に対応するアップリンクリソース構成情報を受信するステップを制御する。
【０２７２】
好ましくは、アップリンクリソース構成情報は、スケジューリング要求構成情報、サウンディング基準信号構成情報、およびチャネル品質インジケータ報告構成情報のうちの少なくとも1つを含む。
【０２７３】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０２７４】
好ましくは、再構成を要求する理由は、タイミングアドバンスタイマーTATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２７５】
本発明の一実施形態では、基地局を開示しており、この基地局は、二次基地局として使用されるものとしてよい。図17に示されているように、この基地局は、信号の送受信を行うように構成されたトランシーバ61と、トランシーバ61に結合されたプロセッサ62であって、二次基地局に対応するリソースがユーザー装置に対して再構成される必要があると決定するステップと、第1のメッセージを一次基地局にトランシーバが送信し、これにより一次基地局がユーザー装置に対する二次基地局に対応するリソースの再構成を開始する、ステップを制御するステップとを実行するように構成されたプロセッサ62とを備える。
【０２７６】
好ましくは、プロセッサ62は、二次基地局に対応するリソースがユーザー装置に対して再構成される必要があることを、トランシーバ61がユーザー装置によって送信されたランダムアクセス要求メッセージを受信した場合に、プロセッサ62は、ユーザー装置に対する二次基地局に対応するリソースの再構成を決定するか、またはプロセッサ62が、二次基地局に対応する、ユーザー装置のタイミングアドバンスタイマーTATがタイムアウトになったことを検出した場合に、プロセッサ62は、ユーザー装置に対する二次基地局に対応するリソースの再構成を決定する形で決定する。
【０２７７】
適宜、二次基地局に対応するリソースがユーザー装置に対して再構成される必要があると決定した後に、プロセッサ62は、トランシーバ61が、ユーザー装置に対して構成され、二次基地局に対応するアップリンクリソース構成情報を一次基地局に送信するステップを制御し、これにより一次基地局がアップリンクリソース構成情報をユーザー装置に送信する。
【０２７８】
適宜、アップリンクリソース構成情報は、スケジューリング要求構成情報、サウンディング基準信号構成情報、およびチャネル品質インジケータ報告構成情報のうちの少なくとも1つを含む。
【０２７９】
好ましくは、第1のメッセージは、ユーザー装置の識別子、ユーザー装置によって再構成されたリソースであることを要求される二次基地局のセル識別子、および再構成を要求する理由のうちの少なくとも1つの情報を含む。
【０２８０】
適宜、再構成を要求する理由は、TATがタイムアウトしたこと、スケジューリング要求SRが失敗したこと、SRを送信するための物理アップリンク制御チャネルPUCCHリソースが二次基地局にないこと、ユーザー装置がアップリンクデータを二次基地局に送信する必要があること、および二次基地局がダウンリンクデータをユーザー装置に送信する必要があること、のうちの1つの情報を示すために使用される。
【０２８１】
本発明の実施形態におけるプロセッサは、信号処理能力を有する集積回路チップとすることができ、中央演算処理装置(Central Processing Unit、略してCPU)などのハードウェアプロセッサであってもよい。一実装プロセスにおいて、前述の方法におけるステップは、プロセッサ内のハードウェア集積論理回路を使用することによって、またはソフトウェアの形態の命令を使用することによって遂行され得る。それらの命令は、実装および制御の際にプロセッサと連携し、本発明の実施形態で開示されている方法を実行することができる。プロセッサは、汎用プロセッサ、デジタルシグナルプロセッサ(Digital Signal Processor、略してDSP)、特定用途向け集積回路(Application Specific Integrated Circuit、略してASIC)、フィールドプログラマブルゲートアレイ(Field Programmable Gate Array、略してFPGA)、または別のプログラム可能な論理デバイス、ディスクリートゲートもしくはトランジスタ論理素子、またはディスクリートハードウェアアセンブリであってよく、本発明の実施形態において開示されている方法、ステップ、および論理ブロック図を実装または実行することができる。汎用プロセッサは、マイクロプロセッサであるか、またはプロセッサは、任意の従来型のプロセッサ、デコーダ、および同様のものであってもよい。本発明の実施形態を参照しつつ開示されている方法のステップは、ハードウェアプロセッサを用いて直接実行され、遂行され得るか、またはプロセッサにおいてハードウェアモジュールとソフトウェアモジュールとの組み合わせを使用することによって実行され、遂行され得る。ソフトウェアモジュールは、ランダムアクセスメモリ、フラッシュメモリ、リードオンリーメモリ、プログラマブルリードオンリーメモリ、電気的消去可能プログラム可能メモリ、またはレジスタなどの、技術分野において成熟している記憶媒体内に配置され得る。
【０２８２】
前述の実施形態の説明により、当業者は、本発明がハードウェア、ファームウェア、またはこれらの組み合わせによって実装され得ることを明確に理解することができる。本発明が、ソフトウェアによって実装される場合、前述の機能は、コンピュータ可読媒体内に格納されるか、またはコンピュータ可読媒体で1つまたは複数の命令もしくはコードとして伝送され得る。コンピュータ可読媒体は、コンピュータ記憶媒体および通信媒体の両方を含み、通信媒体は、コンピュータプログラムを一方の場所から別の場所に伝送することを可能にする媒体を含む。記憶媒体は、コンピュータからアクセス可能な利用可能媒体であってよい。例えば、限定はしないが、コンピュータ可読媒体は、ランダムアクセスメモリ(Random Access Memory、略してRAM)、リードオンリーメモリ(Read-Only Memory、略してROM)、電気的消去可能プログラム可能リードオンリーメモリ(Electrically Erasable Programmable Read-Only Memory、略してEEPROM)、コンパクトディスクリードオンリーメモリ(Compact Disc Read-Only Memory、略してCD-ROM)、または別の光ディスク記憶もしくはディスク記憶媒体、または別の磁気記憶装置、または命令もしくはデータ構造体の形態で期待されるプログラムコードを搬送もしくは格納するように構成され、コンピュータによってアクセスできる別の媒体を含み得る。それに加えて、接続は、コンピュータ可読媒体と適切に定義され得る。例えば、ソフトウェアが同軸ケーブル、光ファイバー/ケーブル、ツイストペア線、デジタル加入者回線(Digital Subscriber Line、略してDSL)、または赤外線、電波、およびマイクロ波などのワイヤレス技術を使用することによってウェブサイト、サーバー、または別のリモートソースから送信される場合、同軸ケーブル、光ファイバー/ケーブル、ツイストペア線、DSL、または赤外線、電波、およびマイクロ波などのワイヤレス技術は、これらが属す媒体の据え付けに含まれる。例えば、本発明で使用されているディスク(Disk)およびディスク(disc)は、コンパクトディスク(Compact Disc、略してCD)、レーザーディスク(登録商標)、光ディスク、デジタル多用途ディスク(Digital Versatile Disk、略してDVD)、フロッピー(登録商標)ディスク、およびブルーレイディスクを含み、ディスク(disk)は、一般的に磁気的手段によってデータをコピーし、ディスク(disc)は、レーザー手段によってデータを光学的にコピーする。前述の組み合わせも、コンピュータ可読媒体の保護範囲内に含まれるべきである。
【０２８３】
要約すると、上で説明されている内容は、本発明の技術的解決策の例示的な実施形態にすぎないが、本発明の保護範囲を制限することを意図されていない。本発明の精神および原理から逸脱することなく行われる修正、同等物の置換、または改善は、本発明の保護範囲内に収まるであろう。
【符号の説明】
【０２８４】
11  受信ユニット
12  開始ユニット
13  送信ユニット
14  決定ユニット
21  決定ユニット
22  送信ユニット
23  受信ユニット
31  決定ユニット
32  送信ユニット
41  トランシーバ
42  プロセッサ
51  トランシーバ
52  プロセッサ
61  トランシーバ
62  プロセッサ
【図１】
2018014759.tif 000003
【図２】
2018014759.tif 000004
【図３】
2018014759.tif 000005
【図４】
2018014759.tif 000006
【図５】
2018014759.tif 000007
【図６】
2018014759.tif 000008
【図７】
2018014759.tif 000009
【図８】
2018014759.tif 000010
【図９】
2018014759.tif 000011
【図１０】
2018014759.tif 000012
【図１１】
2018014759.tif 000013
【図１２】
2018014759.tif 000014
【図１３】
2018014759.tif 000015
【図１４】
2018014759.tif 000016
【図１５】
2018014759.tif 000017
【図１６】
2018014759.tif 000018
【図１７】
2018014759.tif 000019
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
二次基地局に対応するリソースが再構成される必要があることを、ユーザー装置によって決定するステップと、
第1のメッセージを一次基地局に、前記ユーザー装置によって送信するステップであって、前記第1のメッセージは、前記二次基地局に対応するリソースをユーザー装置に対して再構成することを要求するために使用され、前記ユーザー装置は、一次基地局および二次基地局と同時に通信し、一次基地局のみが再構成機能を備える、ステップとを含むリソース再構成方法。
【請求項２】
第1のメッセージを一次基地局に、前記ユーザー装置によって送信する前記ステップの後に、
前記一次基地局によって送信されたリソース再構成情報を、前記ユーザー装置によって受信するステップであって、前記リソース再構成情報は、前記ユーザー装置に対して再構成され、前記二次基地局に対応する前記リソースに関する情報である、ステップをさらに含む請求項1に記載の方法。
【請求項３】
前記リソース再構成情報は、前記ユーザー装置に割り当てられ、前記二次基地局に対応するプリアンブルシーケンス番号および物理ランダムアクセスチャネルシーケンス番号を含み、
前記一次基地局によって送信された前記リソース再構成情報を受信するステップの後に、前記ユーザー装置は、前記プリアンブルシーケンス番号および前記物理ランダムアクセスチャネルシーケンス番号に従ってランダムアクセス要求メッセージを前記二次基地局に送信する請求項2に記載の方法。
【請求項４】
前記リソース再構成情報は、前記二次基地局に対応する、前記ユーザー装置に対するタイミングアドバンス情報および/またはアップリンクグラントを含み、
前記一次基地局によって送信された前記リソース再構成情報を受信するステップの後に、前記ユーザー装置は、前記タイミングアドバンス情報および/または前記アップリンクグラントを使用することによってアップリンク信号を前記二次基地局に送信する請求項2に記載の方法。
【請求項５】
第1のメッセージを一次基地局に、前記ユーザー装置によって送信する前記ステップの後に、
前記一次基地局によって送信され、前記二次基地局に対応するアップリンクリソース構成情報を、前記ユーザー装置によって受信するステップをさらに含む請求項1から4のいずれか一項に記載の方法。
【請求項６】
前記アップリンクリソース構成情報は、
スケジューリング要求構成情報、サウンディング基準信号構成情報、およびチャネル品質インジケータ報告構成情報のうちの少なくとも1つを含む請求項5に記載の方法。
【請求項７】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項1から6のいずれか一項に記載の方法。
【請求項８】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項7に記載の方法。
【請求項９】
二次基地局に対応するリソースが再構成される必要があることを決定するように構成された決定ユニットと、
第1のメッセージを一次基地局に送信するように構成された送信ユニットであって、前記第1のメッセージは、前記二次基地局に対応するリソースをユーザー装置に対して再構成することを要求するために使用され、前記ユーザー装置は、一次基地局および二次基地局と同時に通信し、一次基地局のみが再構成機能を備える、送信ユニットとを備えるユーザー装置。
【請求項１０】
前記第1のメッセージが前記一次基地局に送信された後に、前記一次基地局によって送信されたリソース再構成情報を受信するように構成された受信ユニットであって、前記リソース再構成情報は、前記ユーザー装置に対して再構成され、前記二次基地局に対応する前記リソースに関する情報である、受信ユニットをさらに備える請求項9に記載のユーザー装置。
【請求項１１】
前記リソース再構成情報は、前記ユーザー装置に割り当てられ、前記二次基地局に対応するプリアンブルシーケンス番号および物理ランダムアクセスチャネルシーケンス番号を含み、
前記送信ユニットは、前記一次基地局によって送信された前記リソース再構成情報が受信された後に、前記プリアンブルシーケンス番号および前記物理ランダムアクセスチャネルシーケンス番号に従ってランダムアクセス要求メッセージを前記二次基地局に送信するようにさらに構成される請求項10に記載のユーザー装置。
【請求項１２】
前記リソース再構成情報は、前記二次基地局に対応する、前記ユーザー装置に対するタイミングアドバンス情報および/またはアップリンクグラントを含み、
前記送信ユニットは、前記一次基地局によって送信された前記リソース再構成情報が受信された後に、前記タイミングアドバンス情報および/または前記アップリンクグラントを使用することによってアップリンク信号を前記二次基地局に送信するようにさらに構成される請求項10に記載のユーザー装置。
【請求項１３】
前記ユーザー装置が前記第1のメッセージを前記一次基地局に送信した後に、前記一次基地局によって送信され、前記二次基地局に対応するアップリンクリソース構成情報を受信するように構成された受信ユニットをさらに備える請求項9から12のいずれか一項に記載のユーザー装置。
【請求項１４】
前記アップリンクリソース構成情報は、
スケジューリング要求構成情報、サウンディング基準信号構成情報、およびチャネル品質インジケータ報告構成情報のうちの少なくとも1つを含む請求項13に記載のユーザー装置。
【請求項１５】
前記第1のメッセージは、
前記ユーザー装置の識別子、前記ユーザー装置によって再構成されたリソースであることを要求される前記二次基地局のセル識別子、および再構成を要求する理由のうちの少なくとも1つの情報を含む請求項9から14のいずれか一項に記載のユーザー装置。
【請求項１６】
再構成を要求する前記理由は、
タイミングアドバンスタイマーTATがタイムアウトしたこと、スケジューリング要求SRが失敗したこと、SRを送信するための物理アップリンク制御チャネルPUCCHリソースが前記二次基地局にないこと、前記ユーザー装置がアップリンクデータを前記二次基地局に送信する必要があること、および前記二次基地局がダウンリンクデータを前記ユーザー装置に送信する必要があること、のうちの1つの情報を示すために使用される請求項15に記載のユーザー装置。
【請求項１７】
少なくとも1つのハードウェアプロセッサと、
前記少なくとも1つのプロセッサに接続されたメモリとを備えていて、前記メモリは、請求項1から8のいずれか一項に記載のステップを実現するために前記少なくとも1つのハードウェアプロセッサによって実行される命令を格納している、
ユーザー装置。
【請求項１８】
コンピュータプロセッサによって実行された時に、コンピュータプロセッサに、請求項1から8のいずれか一項に記載のステップを実行させるコンピュータプログラムコードを含むコンピュータ可読記録媒体。
【請求項１９】
請求項9から16のいずれか一項に記載の一次基地局およびユーザー装置を備える通信システム。
【外国語明細書】
2018014759000001.pdf